(57)【特許請求の範囲】
【請求項１】
複数の誘電体層が積層された素体と、
前記素体の外表面に配置された第一及び第二の端子電極と、
前記素体の外表面に配置された第一、第二、第三及び第四の外部接続導体と、
第一及び第二の内部接続導体を有する第一のＥＳＲ制御部と、
第三及び第四の内部接続導体を有する第二のＥＳＲ制御部と、
第一及び第二の内部電極を有する静電容量部と、を備え、
前記第一の内部接続導体は、前記第一の端子電極と前記第一の外部接続導体とに接続され、
前記第二の内部接続導体は、前記第二の端子電極と前記第二の外部接続導体とに接続され、
前記第三の内部接続導体は、前記第一の外部接続導体と前記第三の外部接続導体とに接続され、
前記第四の内部接続導体は、前記第二の外部接続導体と前記第四の外部接続導体とに接続され、
前記第一の内部電極は、前記第三の外部接続導体に接続され、
前記第二の内部電極は、前記第四の外部接続導体に接続され、
前記第一及び第二のＥＳＲ制御部は、前記静電容量部の積層数よりも少ない積層数で構成され、且つ、前記複数の誘電体層の積層方向において前記静電容量部を間に挟むように互いに離れて配置されていることを特徴とする積層コンデンサ。
【請求項２】
前記第一のＥＳＲ制御部の積層数が前記第二のＥＳＲ制御部の積層数以下であることを特徴とする請求項１に記載の積層コンデンサ。
【請求項３】
前記第一及び第二のＥＳＲ制御部の積層数がそれぞれ一組であることを特徴とする請求項２に記載の積層コンデンサ。
【請求項４】
前記第一の端子電極と同極性に接続されるための第三の端子電極と、前記第二の端子電極と同極性に接続されるための第四の端子電極とを更に備え、
前記第一の内部接続導体が前記第三の端子電極に接続され、且つ、前記第二の内部接続導体が前記第四の端子電極に接続されており、
前記第一及び第三の端子電極が前記素体の同一側面に形成され、且つ、前記第二及び第四の端子電極が前記素体の同一側面に形成されることを特徴とする請求項１〜３のいずれか一項に記載の積層コンデンサ。
【請求項５】
前記第一及び第三の端子電極と前記第一及び第三の外部接続導体とが前記素体の同一側面に形成され、且つ、前記第二及び第四の端子電極と前記第二及び第四の外部接続導体とが前記素体の同一側面に形成されることを特徴とする請求項４に記載の積層コンデンサ。
【請求項６】
前記第一及び第三の端子電極と前記第二及び第四の外部接続導体とが前記素体の同一側面に形成され、且つ、前記第二及び第四の端子電極と前記第一及び第三の外部接続導体とが前記素体の同一側面に形成されることを特徴とする請求項４に記載の積層コンデンサ。
【請求項７】
前記第一及び第四の外部接続導体が前記素体の同一側面に形成され、且つ、前記第二及び第三の外部接続導体が前記素体の同一側面に形成されることを特徴とする請求項４に記載の積層コンデンサ。
【請求項８】
前記第一及び第二の外部接続導体が前記素体の同一側面に形成され、且つ、前記第三及び第四の外部接続導体が前記素体の同一側面に形成されることを特徴とする請求項４に記載の積層コンデンサ。
【請求項９】
前記第一の端子電極と同極性に接続されるための第三の端子電極と、前記第二の端子電極と同極性に接続されるための第四の端子電極とを更に備え、
前記第一の内部接続導体が前記第三の端子電極に接続され、且つ、前記第二の内部接続導体が前記第四の端子電極に接続されており、
前記第一及び第四の端子電極が前記素体の同一側面に形成され、且つ、前記第二及び第三の端子電極が前記素体の同一側面に形成されることを特徴とする請求項１〜３のいずれか一項に記載の積層コンデンサ。
【請求項１０】
前記第一及び第三の外部接続導体が前記素体の同一側面に形成され、且つ、前記第二及び第四の外部接続導体が前記素体の同一側面に形成されることを特徴とする請求項９に記載の積層コンデンサ。
【請求項１１】
前記第一及び第四の外部接続導体が前記素体の同一側面に形成され、且つ、前記第二及び第三の外部接続導体が前記素体の同一側面に形成されることを特徴とする請求項９に記載の積層コンデンサ。
【請求項１２】
前記第一の端子電極は、前記第一及び第三の外部接続導体のいずれか一方と隣接し、且つ、前記第三の端子電極は、前記第一及び第三の外部接続導体のいずれか他方と隣接し、
前記第二の端子電極は、前記第二及び第四の外部接続導体のいずれか一方と隣接し、且つ、前記第四の端子電極は、前記第二及び第四の外部接続導体のいずれか他方と隣接することを特徴とする請求項１１に記載の積層コンデンサ。
【請求項１３】
前記第一及び第三の外部接続導体は、前記素体の外表面のうち互いに対向する第一及び第二の側面にそれぞれが対向するように形成され、
前記第二及び第四の外部接続導体は、前記第一及び第二の側面にそれぞれが対向するように形成されることを特徴とする請求項１１に記載の積層コンデンサ。
【請求項１４】
前記第一の端子電極は、前記第二及び第四の外部接続導体のいずれか一方と隣接し、且つ、前記第三の端子電極は、前記第二及び第四の外部接続導体のいずれか他方と隣接し、
前記第二の端子電極は、前記第一及び第三の外部接続導体のいずれか一方と隣接し、且つ、前記第四の端子電極は、前記第一及び第三の外部接続導体のいずれか他方と隣接することを特徴とする請求項１１に記載の積層コンデンサ。
【請求項１５】
前記第一及び第二の外部接続導体が前記素体の同一側面に形成され、且つ、前記第三及び第四の外部接続導体が前記素体の同一側面に形成されることを特徴とする請求項９に記載の積層コンデンサ。
【請求項１６】
前記第一及び第二のＥＳＲ制御部は互いに離間して前記素体の外層側にそれぞれ配置されており、その内層側には前記静電容量部が配置されていることを特徴とする請求項１〜１５の何れか一項に記載の積層コンデンサ。
【請求項１７】
前記第一のＥＳＲ制御部は、前記第一及び第二の内部接続導体として、前記積層方向において互いに隣接して対向配置される一対の内部電極層を有することを特徴とする請求項１〜１６の何れか一項に記載の積層コンデンサ。
【発明の詳細な説明】
【技術分野】
【０００１】
本発明は、積層コンデンサに関する。
【背景技術】
【０００２】
従来、積層コンデンサとして、複数の誘電体層と複数の内部電極とが交互に積層された積層体と、当該積層体の側面に配置された外部接続導体及び端子電極とを備えたものが知られている（例えば特許文献１，２参照）。このような積層コンデンサでは、所定の静電容量値を確保しつつ等価直列抵抗を大きくするため、静電容量部を構成する内部電極の他に内部接続導体層を設け、この内部接続導体層を介して端子電極と静電容量部とを接続するようにしている。このような積層コンデンサは、例えば、ＩＣにおけるデカップリングコンデンサとして用いられる。
【先行技術文献】
【特許文献】
【０００３】
【特許文献１】特開２００７−１７３８３７号公報
【特許文献２】特開２００７−１７３８３８号公報
【発明の概要】
【発明が解決しようとする課題】
【０００４】
ところで、上述した積層コンデンサでは、内部接続導体を介して端子電極と静電容量部とを接続することで等価直列抵抗をある程度、増加させているものの、等価直列抵抗を更に増加させ得る積層コンデンサが望まれていた。
【０００５】
本発明は、等価直列抵抗を増加させることが可能な積層コンデンサを提供することを目的とする。
【課題を解決するための手段】
【０００６】
上記課題を解決するため、本発明に係る積層コンデンサは、複数の誘電体層が積層された素体と、素体の外表面に配置された第一及び第二の端子電極と、素体の外表面に配置された第一、第二、第三及び第四の外部接続導体と、第一及び第二の内部接続導体を有する第一のＥＳＲ制御部と、第三及び第四の内部接続導体を有する第二のＥＳＲ制御部と、第一及び第二の内部電極を有する静電容量部と、を備えている。この積層コンデンサでは、第一の内部接続導体は、第一の端子電極と第一の外部接続導体とに接続され、第二の内部接続導体は、第二の端子電極と第二の外部接続導体とに接続され、第三の内部接続導体は、第一の外部接続導体と第三の外部接続導体とに接続され、第四の内部接続導体は、第二の外部接続導体と第四の外部接続導体とに接続され、第一の内部電極は、第三の外部接続導体に接続され、第二の内部電極は、第四の外部接続導体に接続される。そして、第一及び第二のＥＳＲ制御部は、静電容量部の積層数よりも少ない積層数で構成され、且つ、複数の誘電体層の積層方向において静電容量部を間に挟むように互いに離れて配置される。
【０００７】
本発明に係る積層コンデンサでは、第一のＥＳＲ制御部に加えて第二のＥＳＲ制御部を備えており、第一及び第二のＥＳＲ制御部が、複数の誘電体層の積層方向において、静電容量部を間に挟むように互いに離れて配置されている。この場合、各端子電極と静電容量部との間に、第一のＥＳＲ制御部に加えて第二のＥＳＲ制御部も介在させることになり、端子電極から静電容量部への電流経路を十分に長くして、等価直列抵抗を増加させることができる。しかも、積層方向において、第一及び第二のＥＳＲ制御部が静電容量部をその間に挟むように互いに離れて配置されることから、第一及び第二のＥＳＲ制御部を結ぶ第一及び第二の外部接続導体の長さといった積層コンデンサの厚み分を利用して端子電極から静電容量部への電流経路を更に長くし、等価直列抵抗を更に増加させることが可能となっている。
【０００８】
また、本発明に係る積層コンデンサでは、第一及び第二のＥＳＲ制御部が、静電容量部の積層数よりも少ない積層数で構成されている。この場合、第一及び第二のＥＳＲ制御部が静電容量部の積層数よりも少ない積層数で構成されていることから、電流経路の並列接続の増加による低抵抗化を抑制でき、等価直列抵抗を一層増加させることができる。
【０００９】
上述した積層コンデンサにおいて、第一のＥＳＲ制御部の積層数が第二のＥＳＲ制御部の積層数以下であるようにしてもよい。この場合、端子電極に接続されるＥＳＲ制御部の積層数を少なくすることになり、一層、等価直列抵抗を増加させることができる。また、上述した積層コンデンサにおいて、第一及び第二のＥＳＲ制御部の積層数がそれぞれ一組であるようにしてもよい。この場合、両ＥＳＲ制御部の積層数を極力少なくすることになり、一層、等価直列抵抗を増加させることが可能となる。
【００１０】
上述した積層コンデンサは、第一の端子電極と同極性に接続されるための第三の端子電極と、第二の端子電極と同極性に接続されるための第四の端子電極とを更に備え、第一の内部接続導体が第三の端子電極に接続され、且つ、第二の内部接続導体が第四の端子電極に接続されており、第一及び第三の端子電極が素体の同一側面に形成され、且つ、第二及び第四の端子電極が素体の同一側面に形成されるようにしてもよい。この場合、同一側面に同極性の端子電極が形成されるため、積層コンデンサを実装する基板の配線パターンを簡略化させることができる。
【００１１】
また、第一及び第三の端子電極と第一及び第三の外部接続導体とが素体の同一側面に形成され、且つ、第二及び第四の端子電極と第二及び第四の外部接続導体とが素体の同一側面に形成されるようにしてもよい。この場合、同一側面に同極性の端子電極と外部接続導体とが形成されるため、積層コンデンサを基板に実装する際、端子電極と外部接続導体との間でショートが発生してしまってもショート不良とならず、ショート不良を防止できる。このようなショート不良の防止は、積層コンデンサが小型（例えば対象サイズが１６０８（長さ１．６ｍｍ、高さ０．６ｍｍ、幅０．８ｍｍ））である場合に特に有益である。
【００１２】
また、第一及び第三の端子電極と第二及び第四の外部接続導体とが素体の同一側面に形成され、且つ、第二及び第四の端子電極と第一及び第三の外部接続導体とが素体の同一側面に形成されるようにしてもよい。この場合、端子電極や外部接続導体に流れる電流が逆向きになる箇所が生じるため、等価直列インダクタンス（以下「ＥＳＬ」とも記す）を減少させることができる。
【００１３】
また、第一及び第四の外部接続導体が素体の同一側面に形成され、且つ、第二及び第三の外部接続導体が素体の同一側面に形成されるようにしてもよい。この場合、電流が逆向きになる箇所が多くなり、等価直列インダクタンスを減少させることができる。
【００１４】
また、第一及び第二の外部接続導体が素体の同一側面に形成され、且つ、第三及び第四の外部接続導体が素体の同一側面に形成されるようにしてもよい。この場合、第一及び第二のＥＳＲ制御部や静電容量部において、異極性の内部導体や内部電極の間で電流が逆向きに流れる箇所が生じるため、等価直列インダクタンスを減少させることができる。
【００１５】
上述した積層コンデンサは、第一の端子電極と同極性に接続されるための第三の端子電極と、第二の端子電極と同極性に接続されるための第四の端子電極とを更に備え、第一の内部接続導体が第三の端子電極に接続され、且つ、第二の内部接続導体が第四の端子電極に接続されており、第一及び第四の端子電極が素体の同一側面に形成され、且つ、第二及び第三の端子電極が素体の同一側面に形成されるようにしてもよい。
【００１６】
また、第一及び第三の外部接続導体が素体の同一側面に形成され、且つ、第二及び第四の外部接続導体が素体の同一側面に形成されるようにしてもよい。この場合、外部接続導体に流れる電流が逆向きに流れる箇所が生じるため、等価直列インダクタンスを減少させることができる。
【００１７】
また、第一及び第四の外部接続導体が素体の同一側面に形成され、且つ、第二及び第三の外部接続導体が素体の同一側面に形成されるようにしてもよい。この場合、電流が逆向きになる箇所が多くなり、等価直列インダクタンスを減少させることができる。
【００１８】
また、第一の端子電極は、第一及び第三の外部接続導体のいずれか一方と隣接し、且つ、第三の端子電極は、第一及び第三の外部接続導体のいずれか他方と隣接し、第二の端子電極は、第二及び第四の外部接続導体のいずれか一方と隣接し、且つ、第四の端子電極は、第二及び第四の外部接続導体のいずれか他方と隣接するようにしてもよい。この場合、電流が逆向きになる箇所が多くなり、等価直列インダクタンスを減少させることができる。また、第一及び第三の外部接続導体は、素体の外表面のうち互いに対向する第一及び第二の側面にそれぞれが対向するように形成され、第二及び第四の外部接続導体は、第一及び第二の側面にそれぞれが対向するように形成されるようにしてもよい。さらに、第一の端子電極は、第二及び第四の外部接続導体のいずれか一方と隣接し、且つ、第三の端子電極は、第二及び第四の外部接続導体のいずれか他方と隣接し、第二の端子電極は、第一及び第三の外部接続導体のいずれか一方と隣接し、且つ、第四の端子電極は、第一及び第三の外部接続導体のいずれか他方と隣接するようにしてもよい。この場合も、電流が逆向きになる箇所が多くなり、等価直列インダクタンスを減少させることができる。
【００１９】
また、第一及び第二の外部接続導体が素体の同一側面に形成され、且つ、第三及び第四の外部接続導体が素体の同一側面に形成されるようにしてもよい。この場合、第一及び第二のＥＳＲ制御部や静電容量部において、異極性の内部導体や内部電極の間で電流が逆向きに流れる箇所が生じるため、等価直列インダクタンスを減少させることができる。
【発明の効果】
【００２０】
本発明によれば、等価直列抵抗を増加させることが可能な積層コンデンサを提供することができる。
【図面の簡単な説明】
【００２１】
【図１】第一実施形態に係る積層コンデンサの斜視図である。
【図２】図１におけるII-II線に沿った模式断面図である。
【図３】積層体の各部を示し、（ａ）は第一のＥＳＲ制御部を、（ｂ）は第二のＥＳＲ制御部を、（ｃ）は静電容量部をそれぞれ示す平面図である。
【図４】積層コンデンサを回路基板に実装した際の電流の流れを模式的に示す断面図であり、図１におけるII-II線に沿った模式断面図である。
【図５】積層コンデンサを回路基板に実装した際の電流の流れを模式的に示す断面図であり、図１におけるV-V線に沿った模式断面図である。
【図６】積層コンデンサを回路基板に実装した際の電流の流れを模式的に示す断面図であり、図１におけるVI-VI線に沿った模式断面図である。
【図７】図１に示す積層コンデンサの別の実装形態を示す模式断面図である。
【図８】積層コンデンサにおける別の配置構成を示す模式断面図である。
【図９】第二実施形態に係る積層コンデンサの斜視図である。
【図１０】積層体の各部を示し、（ａ）は第一のＥＳＲ制御部を、（ｂ）は第二のＥＳＲ制御部を、（ｃ）は静電容量部をそれぞれ示す平面図である。
【図１１】第二実施形態における積層体の各部の変形例である。
【図１２】第三実施形態に係る積層コンデンサの斜視図である。
【図１３】積層体の各部を示し、（ａ）は第一のＥＳＲ制御部を、（ｂ）は第二のＥＳＲ制御部を、（ｃ）は静電容量部をそれぞれ示す平面図である。
【図１４】第三実施形態における積層体の各部の変形例である。
【図１５】第四実施形態に係る積層コンデンサの斜視図である。
【図１６】積層体の各部を示し、（ａ）は第一のＥＳＲ制御部を、（ｂ）は第二のＥＳＲ制御部を、（ｃ）は静電容量部をそれぞれ示す平面図である。
【図１７】第四実施形態における積層体の各部の第一変形例である。
【図１８】第四実施形態における積層体の各部の第二変形例である。
【図１９】第四実施形態における積層体の各部の第三変形例である。
【図２０】第五実施形態に係る積層コンデンサの斜視図である。
【図２１】積層体の各部を示し、（ａ）は第一のＥＳＲ制御部を、（ｂ）は第二のＥＳＲ制御部を、（ｃ）は静電容量部をそれぞれ示す平面図である。
【図２２】第五実施形態における積層体の各部の第一変形例である。
【図２３】第五実施形態における積層体の各部の第二変形例である。
【図２４】第五実施形態における積層体の各部の第三変形例である。
【図２５】第五実施形態における積層体の各部の第四変形例である。
【図２６】第五実施形態における積層体の各部の第五変形例である。
【図２７】第五実施形態における積層体の各部の第六変形例である。
【図２８】第五実施形態における積層体の各部の第七変形例である。
【図２９】第六実施形態に係る積層コンデンサの斜視図である。
【図３０】積層体の各部を示し、（ａ）は第一のＥＳＲ制御部を、（ｂ）は第二のＥＳＲ制御部を、（ｃ）は静電容量部をそれぞれ示す平面図である。
【図３１】第六実施形態における積層体の各部の第一変形例である。
【図３２】第六実施形態における積層体の各部の第二変形例である。
【図３３】第六実施形態における積層体の各部の第三変形例である。
【図３４】第七実施形態に係る積層コンデンサの斜視図である。
【図３５】積層体の各部を示し、（ａ）は第一のＥＳＲ制御部を、（ｂ）は第二のＥＳＲ制御部を、（ｃ）は静電容量部をそれぞれ示す平面図である。
【図３６】第七実施形態における積層体の各部の変形例である。
【図３７】第八実施形態に係る積層コンデンサの斜視図である。
【図３８】積層体の各部を示し、（ａ）は第一のＥＳＲ制御部を、（ｂ）は第二のＥＳＲ制御部を、（ｃ）は静電容量部をそれぞれ示す平面図である。
【図３９】第八実施形態における積層体の各部の第一変形例である。
【図４０】第八実施形態における積層体の各部の第二変形例である。
【図４１】第八実施形態における積層体の各部の第三変形例である。
【図４２】第九実施形態に係る積層コンデンサの斜視図である。
【図４３】積層体の各部を示し、（ａ）は第一のＥＳＲ制御部を、（ｂ）は第二のＥＳＲ制御部を、（ｃ）は静電容量部をそれぞれ示す平面図である。
【図４４】第九実施形態における積層体の各部の変形例である。
【図４５】第十実施形態に係る積層コンデンサの斜視図である。
【図４６】積層体の各部を示し、（ａ）は第一のＥＳＲ制御部を、（ｂ）は第二のＥＳＲ制御部を、（ｃ）は静電容量部をそれぞれ示す平面図である。
【図４７】第十実施形態における積層体の各部の第一変形例である。
【図４８】第十実施形態における積層体の各部の第二変形例である。
【図４９】第十実施形態における積層体の各部の第三変形例である。
【発明を実施するための形態】
【００２２】
以下、添付図面を参照して、本発明の好適な実施形態について詳細に説明する。なお、説明において、同一要素又は同一機能を有する要素には、同一符号を用いることとし、重複する説明は省略する。
【００２３】
（第一実施形態）
まず、図１〜図３を参照して、第一実施形態に係る積層コンデンサ１の構成について説明する。積層コンデンサ１は、図１に示されるように、略直方体形状の素体２と、第一及び第二の端子電極３，４と、第一、第二、第三及び第四の外部接続導体５，６，７，８とを備えている。また、積層コンデンサ１は、図２及び図３に示されるように、素体２の内部に、第一及び第二のＥＳＲ制御部１０，２０と、静電容量部３０とを備えている。このような積層コンデンサ１は、例えば対象サイズが１６０８（長さ１．６ｍｍ、高さ０．６ｍｍ、幅０．８ｍｍ）といった小型のコンデンサである。
【００２４】
素体２は、複数の誘電体層が積層された略直方体形状の積層体である。素体２に含まれる各誘電体層は、例えば、誘電体セラミックを含むセラミックグリーンシートの焼結体から構成される。実際の積層コンデンサ１では、各誘電体層の間の境界が視認できない程度に一体化されている。また、素体２は、その外表面として、互いに対向する第一及び第二の主面２ａ，２ｂと、互いに対向し且つ第一及び第二の主面２ａ，２ｂの長辺方向に沿って伸びる第一及び第二の側面２ｃ，２ｄと、互いに対向し且つ第一及び第二の主面２ａ，２ｂの短辺方向に沿って伸びる第一及び第二の端面２ｅ，２ｆとを有している。第一及び第二の側面２ｃ，２ｄと第一及び第二の端面２ｅ，２ｆとは、第一及び第二の主面２ａ，２ｂ間を連結するように伸びている。
【００２５】
第一及び第二の端子電極３，４は、第一のＥＳＲ制御部１０等に含まれる内部電極を、回路基板に形成されたプラス電極Ｓ１又はマイナス電極Ｓ２に接続させるための電極であり（図４参照）、素体２の外表面に配置される。第一及び第二の端子電極３，４は、例えば、導電性金属粉末及びガラスフリットを含む導電性ペーストを素体２の外表面に付与し、焼き付けることによって形成される。必要に応じて、焼き付けられた電極の上にめっき層を形成してもよい。後述する他の端子電極や外部接続導体も同様に形成される。
【００２６】
第一、第二、第三及び第四の外部接続導体５、６，７，８は、第一及び第二のＥＳＲ制御部１０，２０や静電容量部３０に含まれる内部電極を相互に接続するための外部接続導体であり、素体２の外表面に配置される。第一、第二、第三及び第四の外部接続導体５，６，７，８は、回路基板に形成されたプラス電極Ｓ１及びマイナス電極Ｓ２のいずれにも接続されないようになっている。なお、各端子電極３，４や各外部接続導体５，６，７，８は、素体２の外表面において互いに電気的に絶縁されている。
【００２７】
このような第一の端子電極３、第一の外部接続導体５及び第三の外部接続導体７は、図１に示されるように、第一及び第二の端面２ｅ，２ｆの対向方向において、第一の端面２ｅから第二の端面２ｆに向かって（図示左奥側から右手前側へ）、この順に第一の側面２ｃに配置される。一方、第二の端子電極４、第二の外部接続導体６及び第四の外部接続導体８は、第一及び第二の端面２ｅ，２ｆの対向方向において、第一の端面２ｅから第二の端面２ｆに向かって、この順に第二の側面２ｄに配置される。各端子電極３，４や各外部接続導体５，６，７，８それぞれは、第一の主面２ａから第二の主面２ｂにまたがるように第一又は第二の側面２ｃ，２ｄに形成されている。なお、第一及び第二の端子電極３，４は素体２を挟んで互いに対向し、第一及び第二の外部接続導体５，６も素体２を挟んで互いに対向し、第三及び第四の外部接続導体７，８も素体２を挟んで互いに対向するように形成されている。
【００２８】
第一のＥＳＲ制御部１０は、積層コンデンサ１の等価直列抵抗（以下「ＥＳＲ」とも記す。）の増加等の制御を行う部分であり、図３（ａ）に示されるように、それぞれが別の誘電体層２ｇ上に形成される内部電極１１，１６から構成される。内部電極１１，１６は、誘電体層２ｇを介して積層方向に互いに対向するように積層され、一対の内部電極層を構成するようになっている。内部電極１１，１６は、例えば、導電性ペーストの焼結体から構成される。後述する他の内部電極も同様に形成される。
【００２９】
内部電極１１（第一の内部接続導体）は、第一の端子電極３と第一の外部接続導体５とを接続するための内部接続導体である。内部電極１１は、主電極部１２と引出電極部１３，１４とを含む。主電極部１２は、第一及び第二の端面２ｅ，２ｆの対向方向（以下「Ｘ方向」と記す。）に伸びるように形成された矩形形状の電極部である。引出電極部１３は、Ｘ方向における第一の端面２ｅ側において主電極部１２と連接し、内部電極１１を第一の側面２ｃの第一の端子電極３の形成領域に引き出す電極部である。引出電極部１３は、第一の端子電極３に電気的且つ物理的に接続される。引出電極部１４は、Ｘ方向における略中央において主電極部１２と連接し、内部電極１１を第一の側面２ｃの第一の外部接続導体５の形成領域に引き出す電極部である。引出電極部１４は、第一の外部接続導体５に電気的且つ物理的に接続される。
【００３０】
積層コンデンサ１が回路基板に実装等されると、内部電極１１には、図示矢印Ａ１で示される電流が流れる。そして、プラス電極Ｓ１から第一の端子電極３へと流れ込んだ電流が内部電極１１を介して第一の外部接続導体５へと伝えられるようになる。
【００３１】
内部電極１６（第二の内部接続導体）は、第二の端子電極４と第二の外部接続導体６とを接続するための内部接続導体である。内部電極１６は、主電極部１７と引出電極部１８，１９とを含む。主電極部１７は、Ｘ方向に伸びるように形成された矩形形状の電極部である。引出電極部１８は、Ｘ方向における第一の端面２ｅ側において主電極部１７と連接し、内部電極１６を第二の側面２ｄの第二の端子電極４の形成領域に引き出す電極部である。引出電極部１８は、第二の端子電極４に電気的且つ物理的に接続される。引出電極部１９は、Ｘ方向における略中央において主電極部１７と連接し、内部電極１６を第二の側面２ｄの第二の外部接続導体６の形成領域に引き出す電極部である。引出電極部１９は、第二の外部接続導体６に電気的且つ物理的に接続される。
【００３２】
積層コンデンサ１が回路基板に実装等されると、内部電極１６には、図示矢印Ａ２で示される電流が流れる。そして、第二の外部接続導体６へと流れ込んだ電流が内部電極１６を介して第二の端子電極４やマイナス電極Ｓ２へと伝えられるようになる。なお、本実施形態では、内部電極１１，１６が、接続導体として必要な面積よりも広くなるように形成されているため、積層コンデンサ１が回路基板に実装等されると、内部電極１１，１６それぞれに、図示矢印Ａ３，Ａ４で示される電流も流れるようになっている。内部電極１１，１６が積層方向に対向するように配置されていることから、上述した接続部としての機能に加え、内部電極１１，１６は、これらの電流により静電容量部としても機能する。後述する第二のＥＳＲ制御部２０においても同様である（図３（ｂ）において、電流の経路を示す矢印Ａ１３、Ａ１４を参照）。
【００３３】
第二のＥＳＲ制御部２０は、第一のＥＳＲ制御部１０と同様、積層コンデンサ１のＥＳＲの増加等の制御を行う部分であり、図３（ｂ）に示されるように、それぞれが別の誘電体層２ｇ上に形成される内部電極２１，２６から構成される。内部電極２１，２６は、誘電体層２ｇを介して積層方向に互いに対向するように積層され、一対の内部電極層を構成するようになっている。
【００３４】
内部電極２１（第三の内部接続導体）は、第一の外部接続導体５と第三の外部接続導体７とを接続するための内部接続導体である。内部電極２１は、主電極部２２と引出電極部２３，２４とを含む。主電極部２２は、Ｘ方向に伸びるように形成された矩形形状の電極部である。引出電極部２３は、Ｘ方向における略中央において主電極部２２と連接し、内部電極２１を第一の側面２ｃの第一の外部接続導体５の形成領域に引き出す電極部である。引出電極部２３は、第一の外部接続導体５に電気的且つ物理的に接続される。引出電極部２４は、Ｘ方向における第二の端面２ｆ側において主電極部２２と連接し、内部電極２１を第一の側面２ｃの第三の外部接続導体７の形成領域に引き出す電極部である。引出電極部２４は、第三の外部接続導体７に電気的且つ物理的に接続される。
【００３５】
積層コンデンサ１が回路基板に実装等されると、内部電極２１には、図示矢印Ａ１１で示される電流が流れる。そして、内部電極１１を介して第一の外部接続導体５へと流れ込んだ電流が、内部電極１１とは別の内部電極２１を介して、第三の外部接続導体７へと伝えられるようになる。
【００３６】
内部電極２６（第四の内部接続導体）は、第二の外部接続導体６と第四の外部接続導体８とを接続するための内部接続導体である。内部電極２６は、主電極部２７と引出電極部２８，２９とを含む。主電極部２７は、Ｘ方向に伸びるように形成された矩形形状の電極部である。引出電極部２８は、Ｘ方向における略中央において主電極部２７と連接し、内部電極２６を第二の側面２ｄの第二の外部接続導体６の形成領域に引き出す電極部である。引出電極部２８は、第二の外部接続導体６に電気的且つ物理的に接続される。引出電極部２９は、Ｘ方向における第二の端面２ｆ側において主電極部２７と連接し、内部電極２６を第二の側面２ｄの第四の外部接続導体８の形成領域に引き出す電極部である。引出電極部２９は、第四の外部接続導体８に電気的且つ物理的に接続される。
【００３７】
積層コンデンサ１が回路基板に実装等されると、内部電極２６には、図示矢印Ａ１２で示される電流が流れる。そして、第四の外部接続導体８へと流れ込んだ電流が、内部電極２６を介して、第二の外部接続導体６へと伝えられるようになる。
【００３８】
静電容量部３０は、積層コンデンサ１において、静電容量を発生させる部分であり、図３（ｃ）に示されるように、それぞれが別の誘電体層２ｇ上に形成される内部電極３１，３６から構成される。内部電極３１，３６は、誘電体層２ｇを介して積層方向に互いに対向するように積層され、一対の内部電極層を構成するようになっている。
【００３９】
内部電極３１（第一の内部電極）は、主電極部３２と引出電極部３３とを含み、第三の外部接続導体７に接続される。主電極部３２は、Ｘ方向に伸びるように形成された矩形形状の電極部である。引出電極部３３は、Ｘ方向における第二の端面２ｆ側において主電極部３２と連接し、内部電極３１を第一の側面２ｃの第三の外部接続導体７の形成領域に引き出す電極部である。引出電極部３３は、第三の外部接続導体７に電気的且つ物理的に接続される。内部電極３６（第二の内部電極）は、主電極部３７と引出電極部３８とを含み、第四の外部接続導体８に接続される。主電極部３７は、Ｘ方向に伸びるように形成された矩形形状の電極部である。引出電極部３８は、Ｘ方向における第二の端面２ｆ側において主電極部３７と連接し、内部電極３６を第二の側面２ｄの第四の外部接続導体８の形成領域に引き出す電極部である。引出電極部３８は、第四の外部接続導体８に電気的且つ物理的に接続される。
【００４０】
積層コンデンサ１が回路基板に実装等されると、静電容量部３０では、互いに対向する内部電極３１，３６に図示矢印Ａ２３，Ａ２４で示される電流が流れ、その結果、両電極３１，３６の間に所定の静電容量が発生するようになる。
【００４１】
ここで、上述した第一及び第二のＥＳＲ制御部１０，２０や静電容量部３０の積層方向における配置構造について、図２を参照しながら、詳細に説明する。
【００４２】
まず、第一及び第二のＥＳＲ制御部１０，２０の積層数や静電容量部３０の積層数について説明する。ここで用いる「積層数」は、上述した一対の内部電極層を一層（一組）とするものである。積層コンデンサ１では、素体２が全体として１０層構造となっており、第一及び第二のＥＳＲ制御部１０，２０がそれぞれ一層からなり、静電容量部３０が残りの８層からなっている。このように第一及び第二のＥＳＲ制御部１０，２０が、静電容量部３０の積層数よりも少ない積層数から構成されているため、各ＥＳＲ制御部１０，２０の積層数を極力少なくすることになり（すなわち最小）、電流経路の並列接続の増加によって抵抗が低下することを抑制でき、等価直列抵抗の増加を図ることができる。なお、本実施形態では、第一及び第二のＥＳＲ制御部１０，２０が最小積層数である各１層からなっているが、これに限定されるわけではなく、第一及び第二のＥＳＲ制御部１０，２０の積層数が、静電容量部３０の積層数よりも少なければ、それぞれ２層や３層から構成されていてもよい。
【００４３】
続いて、第一及び第二のＥＳＲ制御部１０，２０と静電容量部３０との積層方向における配置関係について説明する。図２から明らかなように、積層コンデンサ１では、一方の主面２ａ側である最上層に第二のＥＳＲ制御部２０が配置され、他方の主面２ｂ側である最下層に第一のＥＳＲ制御部１０が配置されている。つまり、第一及び第二のＥＳＲ制御部１０，２０は、素体２に含まれる誘電体層２ｇの積層方向において、８層構造の静電容量部３０をその間に挟むように互いに離れて配置されている。
【００４４】
以上のように、本実施形態に係る積層コンデンサ１では、第一のＥＳＲ制御部１０に加えて第二のＥＳＲ制御部２０を備えている。このため、各端子電極３，４と静電容量部３０との間に、第一のＥＳＲ制御部１０の内部電極１１，１６に加えて第二のＥＳＲ制御部２０の内部電極２１，２６も介在させることになり、端子電極３，４から静電容量部３０への電流経路を十分に長くして、等価直列抵抗を増加させることができる。
【００４５】
また、本実施形態に係る積層コンデンサ１では、第一及び第二のＥＳＲ制御部１０，２０が、複数の誘電体層２ｇの積層方向において、静電容量部３０を間に挟むように互いに離れて配置されている。このため、第一及び第二のＥＳＲ制御部１０，２０を結ぶ外部接続導体５，６の長さといった積層コンデンサ１の厚み分を利用して端子電極３，４から静電容量部３０への電流経路を更に長くし、等価直列抵抗を更に増加させることが可能となっている。
【００４６】
より具体的には、図４及び図５に示されるように、実装基板のプラス電極Ｓ１から第一の端子電極３に流れ込んだ電流Ｉは、第一の端子電極３から第一のＥＳＲ制御部１０の内部電極１１（主電極部１２と引出電極部１３，１４）を介し、第一の外部接続導体５へと流れ込む。第一の外部接続導体５に流れ込んだ電流Ｉは、第一の外部接続導体５の一端（図５における下端側）から他端（図５における上端側）へと流れる。このように積層コンデンサ１の厚み分、引き回された電流Ｉは、更に、第一の外部接続導体５から第二のＥＳＲ制御部２０の内部電極２１（主電極部２２と引出電極部２３，２４）を介して、第三の外部接続導体７へと流れ込む。その後、電流Ｉは、第三の外部接続導体７を介して、静電容量部３０の一方の内部電極３１（主電極部３２と引出電極部３３）へと供給される。
【００４７】
一方、図４及び図６に示されるように、静電容量部３０の一方から他方の内部電極３６（主電極部３７と引出電極部３８）へと伝えられた電流Ｉは、第四の外部接続導体８を介して、第二のＥＳＲ制御部２０の内部電極２６の引出電極部２９に流れる。引出電極部２９へと流れ込んだ電流Ｉは、第二のＥＳＲ制御部２０の内部電極２６（主電極部２７と引出電極部２８，２９）を介して、第二の外部接続導体６へと流れ、第二の外部接続導体６の一端（図６における上端）から他端（図６における下端側）へと流れる。このように積層コンデンサ１の厚み分、再度、引き回された電流Ｉは、更に、第二の外部接続導体６から第一のＥＳＲ制御部１０の内部電極１６（主電極部１７と引出電極部１８，１９）を介して、第二の端子電極４へと流れ込む。その後、電流Ｉは、第二の端子電極４からマイナス電極Ｓ２へと伝えられる。
【００４８】
このように、積層コンデンサ１では、第一及び第二のＥＳＲ制御部１０，２０の内部電極や各外部接続導体５，６，７，８の長さ分、端子電極３，４から静電容量部３０への電流経路が長くなるような構成となっており、等価直列抵抗を増加させることが可能となっている。
【００４９】
また、積層コンデンサ１では、上述したように等価直列抵抗を増加させるための第一及び第二のＥＳＲ制御部１０，２０が、静電容量部３０の積層数（８層）よりも少ない積層数（各１層）で構成されている。このため、各ＥＳＲ制御部１０，２０の積層数を極力少なくすることになり、電流経路の並列接続の増加によって抵抗が低下することを抑制でき、等価直列抵抗の増加を図ることができる。
【００５０】
また、積層コンデンサ１では、第一のＥＳＲ制御部１０の積層数と第二のＥＳＲ制御部２０の積層数とがそれぞれ一組となっている。このため、両ＥＳＲ制御部１０，２０の積層数を極力少なくすることになり（すなわち最小）、等価直列抵抗を一層、増加させることができるようになっている。なお、少なくとも、第一のＥＳＲ制御部１０の積層数が第二のＥＳＲ制御部２０の積層数以下であれば、端子電極３，４に接続されるＥＳＲ制御部１０，２０の積層数を少なくすることになり、等価直列抵抗を増加させることができる。
【００５１】
また、上述した説明では、第二の主面２ｂ側を実装面として回路基板に実装した場合について説明したが、図７の模式断面図に示されるように、第一の主面２ａ側を実装面として積層コンデンサ１を回路基板に実装するようにしてもよい。この場合でも、第一及び第二のＥＳＲ制御部１０，２０を結ぶ外部接続導体５，６の長さや電極Ｓ１，Ｓ２と第一のＥＳＲ制御部１０を結ぶ端子電極３，４の長さといった積層コンデンサ１の厚み分を利用して端子電極３，４から静電容量部３０への電流経路を長くして、等価直列抵抗を増加させることができる。なお、積層コンデンサ１では、積層方向における各最外層にＥＳＲ制御部１０，２０のいずれかを配置する構成となっているため、第一及び第二の主面２ａ，２ｂのいずれの面を実装面とした場合であっても、上述したように、等価直列抵抗をそれぞれ増加させることができるようになっている。このため、積層コンデンサ１であれば、等価直列抵抗を増加させるために実装面をそれほど気にする必要がなく、その実装作業を容易に行うことができる。
【００５２】
また、積層コンデンサ１では、上述した配置構成に代えて、図８に示されるような配置構成を採用してもよい。すなわち、第一のＥＳＲ制御部１０を上下に２層備えた積層コンデンサ１において、各第一のＥＳＲ制御部１０をそれぞれ最外層に配置すると共に、第二のＥＳＲ制御部２０を積層方向の中央に配置する。そして、静電容量部３０を各第一のＥＳＲ制御部１０と第二のＥＳＲ制御部２０の間にそれぞれ配置する。この場合であっても、積層コンデンサ１では、第一及び第二のＥＳＲ制御部１０，２０が、複数の誘電体層２ｇの積層方向において、静電容量部３０を間に挟むように互いに離れて配置されるため、第一及び第二のＥＳＲ制御部１０，２０を結ぶ外部接続導体５，６の長さ等といった積層コンデンサ１の厚み分を利用して端子電極３，４から静電容量部３０への電流経路を長くし、等価直列抵抗を増加させることが可能である。
【００５３】
（第二実施形態）
次に、図９及び図１０を参照して、第二実施形態にかかる積層コンデンサ５１の構成について説明する。積層コンデンサ５１は、第一実施形態の積層コンデンサ１と同様、略直方体形状の素体２と、第一及び第二の端子電極３，４と、第一、第二、第三及び第四の外部接続導体５，６，７，８とを備え、素体２の内部に、第一及び第二のＥＳＲ制御部６０，７０と、静電容量部８０とを備えている。
【００５４】
第一及び第二のＥＳＲ制御部６０，７０の機能は、第一実施形態における第一及び第二のＥＳＲ制御部１０，２０と同様であり、静電容量部８０の機能は、第一実施形態における静電容量部３０と同様である。また、第一及び第二のＥＳＲ制御部６０，７０や静電容量部８０の積層方向における配置構成は、第一実施形態で説明した何れかの配置構成を適宜、採用することができる。これらの点は後述する他の実施形態でも同様である。本実施形態では、図９に示されるように、積層コンデンサ５１が、更に第三及び第四の端子電極５３，５４を備えている点及び端子電極が増えたことにより内部電極パターンが異なる点で第一実施形態と異なっている。以下、第一実施形態と異なる点を中心に説明する。
【００５５】
第三及び第四の端子電極５３，５４は、第一及び第二の端子電極３，４と共に、第一のＥＳＲ制御部１０等に含まれる内部電極を、回路基板に形成されたプラス電極Ｓ１又はマイナス電極Ｓ２に接続させるための電極であり、素体２の外表面に配置される。第三の端子電極５３は、第一の端子電極３と同極性であり、第一の端子電極３が接続されるプラス電極Ｓ１に接続される。第四の端子電極５４は、第二の端子電極４と同極性であり、第二の端子電極４が接続されるマイナス電極Ｓ２に接続される。
【００５６】
ここで、端子電極や外部接続導体の配置について説明する。本実施形態では、図９に示されるように、第一の端子電極３、第一の外部接続導体５、第三の外部接続導体７及び第三の端子電極５３は、第一及び第二の端面２ｅ，２ｆの対向方向において、第一の端面２ｅから第二の端面２ｆに向かって（図示左奥側から右手前側へ）、この順に第一の側面２ｃに配置される。一方、第二の端子電極４、第二の外部接続導体６、第四の外部接続導体８及び第四の端子電極５４は、第一及び第二の端面２ｅ，２ｆの対向方向において、第一の端面２ｅから第二の端面２ｆに向かって、この順に第二の側面２ｄに配置される。第三及び第四の端子電極５３，５４は、素体２を挟んで互いに対向し、且つ、第一の主面２ａから第二の主面２ｂにまたがるように第一又は第二の側面２ｃ，２ｄにそれぞれ形成される。なお、各端子電極３，４，５３，５４や各外部接続導体５，６，７，８は、互いに電気的に絶縁されている。
【００５７】
続いて、積層体を構成する各部及び各部に含まれる内部電極について説明する。第一のＥＳＲ制御部６０は、積層コンデンサ５１のＥＳＲの増加等の制御を行う部分であり、図１０（ａ）に示されるように、それぞれが別の誘電体層２ｇ上に形成される内部電極６１，６６から構成される。内部電極６１，６６は、誘電体層２ｇを介して積層方向に互いに対向するように積層され、一対の内部電極層を構成するようになっている。
【００５８】
内部電極６１（第一の内部接続導体）は、第一及び第三の端子電極３，５３と第一の外部接続導体５とを接続するための内部接続導体である。内部電極６１は、主電極部６２と引出電極部６３ａ，６３ｂ，６４とを含む。主電極部６２は、Ｘ方向に伸びるように形成された矩形形状の電極部である。引出電極部６３ａは、Ｘ方向における第一の端面２ｅ側において主電極部６２と連接し、内部電極６１を第一の側面２ｃの第一の端子電極３の形成領域に引き出す電極部である。引出電極部６３ａは、第一の端子電極３に電気的且つ物理的に接続される。
【００５９】
引出電極部６３ｂは、Ｘ方向における第二の端面２ｆ側において主電極部６２と連接し、内部電極６１を第一の側面２ｃの第三の端子電極５３の形成領域に引き出す電極部である。引出電極部６３ｂは、第三の端子電極５３に電気的且つ物理的に接続される。引出電極部６４は、Ｘ方向における略中央から第一の端面２ｅ寄りの箇所において主電極部６２と連接し、内部電極６１を第一の側面２ｃの第一の外部接続導体５の形成領域に引き出す電極部である。引出電極部６４は、第一の外部接続導体５に電気的且つ物理的に接続される。なお、プラス電極Ｓ１から第一及び第三の端子電極３，５３へと流れ込んだ電流は、第一実施形態と同様に、内部電極６１を介して第一の外部接続導体５へと伝えられる。
【００６０】
内部電極６６（第二の内部接続導体）は、第二及び第四の端子電極４，５４と第二の外部接続導体６とを接続するための内部接続導体である。内部電極６６は、主電極部６７と引出電極部６８ａ，６８ｂ，６９とを含む。主電極部６７は、Ｘ方向に伸びるように形成された矩形形状の電極部である。引出電極部６８ａは、Ｘ方向における第一の端面２ｅ側において主電極部６７と連接し、内部電極６６を第二の側面２ｄの第二の端子電極４の形成領域に引き出す電極部である。引出電極部６８ａは、第二の端子電極４に電気的且つ物理的に接続される。
【００６１】
引出電極部６８ｂは、Ｘ方向における第二の端面２ｆ側において主電極部６７と連接し、内部電極６６を第二の側面２ｄの第四の端子電極５４の形成領域に引き出す電極部である。引出電極部６８ｂは、第二の端子電極５４に電気的且つ物理的に接続される。引出電極部６９は、Ｘ方向における略中央から第一の端面２ｅ寄りの箇所において主電極部６７と連接し、内部電極６６を第二の側面２ｄの第二の外部接続導体６の形成領域に引き出す電極部である。引出電極部６９は、第二の外部接続導体６に電気的且つ物理的に接続される。なお、第二の外部接続導体６へと流れ込んだ電流は、内部電極６６を介して、第二及び第四の端子電極４，５４やマイナス電極Ｓ２へと伝えられる。
【００６２】
第二のＥＳＲ制御部７０は、第一のＥＳＲ制御部６０と同様、積層コンデンサ５１のＥＳＲの増加等の制御を行う部分であり、図１０（ｂ）に示されるように、それぞれが別の誘電体層２ｇ上に形成される内部電極７１，７６から構成される。内部電極７１，７６は、誘電体層２ｇを介して積層方向に互いに対向するように積層され、一対の内部電極層を構成するようになっている。
【００６３】
内部電極７１（第三の内部接続導体）は、第一の外部接続導体５と第三の外部接続導体７とを接続するための内部接続導体である。内部電極７１は、主電極部７２と引出電極部７３，７４とを含む。主電極部７２は、Ｘ方向に伸びるように形成された矩形形状の電極部である。引出電極部７３は、Ｘ方向における略中央から第一の端面２ｅ寄りの箇所において主電極部７２と連接し、内部電極７１を第一の側面２ｃの第一の外部接続導体５の形成領域に引き出す電極部である。引出電極部７３は、第一の外部接続導体５に電気的且つ物理的に接続される。引出電極部７４は、Ｘ方向における略中央から第二の端面２ｆ寄りの箇所において主電極部７２と連接し、内部電極７１を第一の側面２ｃの第三の外部接続導体７の形成領域に引き出す電極部である。引出電極部７４は、第三の外部接続導体７に電気的且つ物理的に接続される。なお、内部電極６１を介して第一の外部接続導体５へと流れ込んだ電流は、内部電極７１を介して、第三の外部接続導体７へと伝えられる。
【００６４】
内部電極７６（第四の内部接続導体）は、第二の外部接続導体６と第四の外部接続導体８とを接続するための内部接続導体である。内部電極７６は、主電極部７７と引出電極部７８，７９とを含む。主電極部７７は、Ｘ方向に伸びるように形成された矩形形状の電極部である。引出電極部７８は、Ｘ方向における略中央から第一の端面２ｅ寄りの箇所において主電極部７７と連接し、内部電極７６を第二の側面２ｄの第二の外部接続導体６の形成領域に引き出す電極部である。引出電極部７８は、第二の外部接続導体６に電気的且つ物理的に接続される。引出電極部７９は、Ｘ方向における略中央から第二の端面２ｆ寄りの箇所において主電極部７７と連接し、内部電極７６を第二の側面２ｄの第四の外部接続導体８の形成領域に引き出す電極部である。引出電極部７９は、第四の外部接続導体８に電気的且つ物理的に接続される。なお、第四の外部接続導体８へと流れ込んだ電流は、内部電極７６を介して、第二の外部接続導体６へと伝えられる。
【００６５】
静電容量部８０は、積層コンデンサ５１において、静電容量を発生させる部分であり、図１０（ｃ）に示されるように、それぞれが別の誘電体層２ｇ上に形成される内部電極８１，８６から構成される。内部電極８１，８６は、誘電体層２ｇを介して積層方向に互いに対向するように積層され、一対の内部電極層を構成するようになっている。
【００６６】
内部電極８１（第一の内部電極）は、主電極部８２と引出電極部８３とを含み、第三の外部接続導体７に接続される。主電極部８２は、Ｘ方向に伸びるように形成された矩形形状の電極部である。引出電極部８３は、Ｘ方向における略中央から第二の端面２ｆ寄りの箇所において主電極部８２と連接し、内部電極８１を第一の側面２ｃの第三の外部接続導体７の形成領域に引き出す電極部である。引出電極部８３は、第三の外部接続導体７に電気的且つ物理的に接続される。
【００６７】
内部電極８６（第二の内部電極）は、主電極部８７と引出電極部８８とを含み、第四の外部接続導体８に接続される。主電極部８７は、Ｘ方向に伸びるように形成された矩形形状の電極部である。引出電極部８８は、Ｘ方向における略中央から第二の端面２ｆ寄りの箇所において主電極部８７と連接し、内部電極８６を第二の側面２ｄの第四の外部接続導体８の形成領域に引き出す電極部である。引出電極部８８は、第四の外部接続導体８に電気的且つ物理的に接続される。積層コンデンサ５１が回路基板に実装等されると、静電容量部８０では、互いに対向する内部電極８１，８６に電流が流れ、その結果、両電極８１，８６の間に所定の静電容量が発生するようになる。
【００６８】
以上のように、本実施形態に係る積層コンデンサ５１でも、第一実施形態と同様、第一のＥＳＲ制御部６０に加えて第二のＥＳＲ制御部７０を備えているため、端子電極３，４，５３，５４から静電容量部８０への電流経路を十分に長くして、等価直列抵抗を増加させることができる。また、本実施形態に係る積層コンデンサ５１でも、第一及び第二のＥＳＲ制御部６０，７０が、複数の誘電体層２ｇの積層方向において、静電容量部８０を間に挟むように互いに離れて配置されるため、第一及び第二のＥＳＲ制御部６０，７０を結ぶ外部接続導体５，６の長さといった積層コンデンサ５１の厚み分を利用して端子電極３，４，５３，５４から静電容量部８０への電流経路を更に長くし、等価直列抵抗を増加させることができる。
【００６９】
また、本実施形態にかかる積層コンデンサ５１は、第一の端子電極３と同極性に接続されるための第三の端子電極５３と、第二の端子電極４と同極性に接続されるための第四の端子電極５４とを更に備えている。そして、第一及び第三の端子電極３，５３が素体２の同一側面２ｃに形成され、且つ、第二及び第四の端子電極４，５４が素体２の同一側面２ｄに形成されている。このように同一側面に同極性の端子電極が形成されるため、積層コンデンサ５１を実装する回路基板の配線パターンを簡略化させることができる。
【００７０】
また、本実施形態にかかる積層コンデンサ５１では、第一及び第三の端子電極３，５３と第一及び第三の外部接続導体５，７とが素体２の同一側面２ｃに形成され、第二及び第四の端子電極４，５４と第二及び第四の外部接続導体６，８とが素体２の同一側面２ｄに形成されている。このように、同一側面に同極性の端子電極と外部接続導体とが形成されるため、積層コンデンサ５１を基板に実装する際、端子電極と外部接続導体との間でショートが発生してしまってもショート不良とならず、ショート不良を防止できる。このようなショート不良の防止は、積層コンデンサが小型（例えば対象サイズが１６０８（長さ１．６ｍｍ、高さ０．６ｍｍ、幅０．８ｍｍ））である場合に特に有益である。
【００７１】
ここで、第二実施形態にかかる積層コンデンサ５１の変形例について図１１を参照して説明する。この変形例にかかる積層コンデンサ５１は、第一及び第二のＥＳＲ制御部６０，７０や静電容量部８０に代えて、素体２の内部に、第一及び第二のＥＳＲ制御部６０ａ，７０ａと静電容量部８０ａとを備えている。また、変形例にかかる積層コンデンサ５１の第一の側面２ｃには、第一の端面２ｅから第二の端面２ｆに向かって、第一の端子電極３、第三の外部接続導体７、第一の外部接続導体５及び第三の端子電極５３の順で各電極や導体が配置される。一方、第二の側面２ｄには、第一の端面２ｅから第二の端面２ｆに向かって、第二の端子電極４、第四の外部接続導体８、第二の外部接続導体６及び第四の端子電極５４の順で各電極や導体が配置される。つまり、この変形例では、第一及び第三の外部接続導体５，７の位置がそれぞれ交換されており、また、第二及び第四の外部接続導体６，８の位置がそれぞれ交換されている。
【００７２】
変形例にかかる積層コンデンサ５１では、各外部接続導体の位置が交換されているため、第一のＥＳＲ制御部６０ａにおいて、引出電極部６４がＸ方向における略中央から第二の端面２ｆ寄りの箇所において主電極部６２と連接するようになっており、引出電極部６９がＸ方向における略中央から第二の端面２ｆ寄りの箇所において主電極部６７と連接するようになっている。第二のＥＳＲ制御部７０ａでは、引出電極部７３，７４の位置がそれぞれ交換されており、引出電極部７８，７９の位置がそれぞれ交換されている。静電容量部８０ａでは、引出電極部８３がＸ方向における略中央から第一の端面２ｅ寄りの箇所において主電極部８２と連接するようになっており、引出電極部８８がＸ方向における略中央から第一の端面２ｅ寄りの箇所において主電極部８７と連接するようになっている。
【００７３】
この変形例にかかる積層コンデンサ５１においても、端子電極３，４，５３，５４から静電容量部８０ａへの電流経路が長くなっており、等価直列抵抗を増加できる。また、同一側面に同極性の端子電極と外部接続導体とが形成されるため、積層コンデンサ５１を基板に実装する際、ショート不良を防止できる。
【００７４】
（第三実施形態）
次に、図１２及び図１３を参照して、第三実施形態にかかる積層コンデンサ１０１の構成について説明する。積層コンデンサ１０１は、第二実施形態の積層コンデンサ５１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部１１０，１２０と、静電容量部１３０とを備えている。本実施形態では、図１２に示されるように、外部接続導体５〜８の配置箇所が第二実施形態と異なっている。以下、第二実施形態と異なる点を中心に説明する。
【００７５】
まず、端子電極や外部接続導体の配置について説明する。本実施形態では、図１２に示されるように、第一の端子電極３、第二の外部接続導体６、第四の外部接続導体８及び第三の端子電極５３は、第一及び第二の端面２ｅ，２ｆの対向方向において、第一の端面２ｅから第二の端面２ｆに向かって、この順に第一の側面２ｃに配置される。一方、第二の端子電極４、第一の外部接続導体５、第三の外部接続導体７及び第四の端子電極５４は、第一及び第二の端面２ｅ，２ｆの対向方向において、第一の端面２ｅから第二の端面２ｆに向かって、この順に第二の側面２ｄに配置される。つまり、第三実施形態では、各外部接続導体が、異極の端子電極が配置されている側面と同じ側面に配置される。
【００７６】
続いて、積層体を構成する各部及び各部に含まれる内部電極について説明する。第一のＥＳＲ制御部１１０は、積層コンデンサ１０１のＥＳＲの増加等の制御を行う部分であり、図１３（ａ）に示されるように、それぞれが別の誘電体層２ｇ上に形成される内部電極１１１，１１６から構成される。内部電極１１１，１１６は、誘電体層２ｇを介して積層方向に互いに対向するように積層され、一対の内部電極層を構成するようになっている。
【００７７】
内部電極１１１（第一の内部接続導体）は、第一及び第三の端子電極３，５３と第一の外部接続導体５とを接続するための内部接続導体である。内部電極１１１は、主電極部１１２と引出電極部１１３ａ，１１３ｂ，１１４とを含む。主電極部１１２は、矩形形状の電極部である。引出電極部１１３ａは、Ｘ方向における第一の端面２ｅ側において主電極部１１２と連接し、内部電極１１１を第一の側面２ｃの第一の端子電極３の形成領域に引き出す電極部である。
【００７８】
引出電極部１１３ｂは、Ｘ方向における第二の端面２ｆ側において主電極部１１２と連接し、内部電極１１１を第一の側面２ｃの第三の端子電極５３の形成領域に引き出す電極部である。引出電極部１１４は、Ｘ方向における略中央から第一の端面２ｅ寄りの箇所において主電極部１１２と連接し、内部電極１１１を第一の側面２ｃと対向する第二の側面２ｄの第一の外部接続導体５の形成領域に引き出す電極部である。なお、プラス電極Ｓ１から第一及び第三の端子電極３，５３へと流れ込んだ電流は、第二実施形態と同様、内部電極１１１を介して第一の外部接続導体５へと伝えられる。
【００７９】
内部電極１１６（第二の内部接続導体）は、第二及び第四の端子電極４，５４と第二の外部接続導体６とを接続するための内部接続導体である。内部電極１１６は、主電極部１１７と引出電極部１１８ａ，１１８ｂ，１１９とを含む。主電極部１１７は、矩形形状の電極部である。引出電極部１１８ａは、Ｘ方向における第一の端面２ｅ側において主電極部１１７と連接し、内部電極１１６を第二の側面２ｄの第二の端子電極４の形成領域に引き出す電極部である。
【００８０】
引出電極部１１８ｂは、Ｘ方向における第二の端面２ｆ側において主電極部１１７と連接し、内部電極１１６を第二の側面２ｄの第四の端子電極５４の形成領域に引き出す電極部である。引出電極部１１９は、Ｘ方向における略中央から第一の端面２ｅ寄りの箇所において主電極部１１７と連接し、内部電極１１６を第二の側面２ｄと対向する第一の側面２ｃの第二の外部接続導体６の形成領域に引き出す電極部である。なお、第二の外部接続導体６へと流れ込んだ電流が内部電極１１６を介して第二及び第四の端子電極４，５４やマイナス電極Ｓ２へと伝えられる。
【００８１】
第二のＥＳＲ制御部１２０は、積層コンデンサ１０１のＥＳＲの増加等の制御を行う部分であり、図１３（ｂ）に示されるように、それぞれが別の誘電体層２ｇ上に形成される内部電極１２１，１２６から構成される。内部電極１２１，１２６は、誘電体層２ｇを介して積層方向に互いに対向するように積層され、一対の内部電極層を構成するようになっている。
【００８２】
内部電極１２１（第三の内部接続導体）は、第一の外部接続導体５と第三の外部接続導体７とを接続するための内部接続導体である。内部電極１２１は、主電極部１２２と引出電極部１２３，１２４とを含む。主電極部１２２は、矩形形状の電極部である。引出電極部１２３は、Ｘ方向における略中央から第一の端面２ｅ寄りの箇所において主電極部１２２と連接し、内部電極１２１を第二の側面２ｄの第一の外部接続導体５の形成領域に引き出す電極部である。引出電極部１２４は、Ｘ方向における略中央から第二の端面２ｆ寄りの箇所において主電極部１２２と連接し、内部電極１２１を第二の側面２ｄの第三の外部接続導体７の形成領域に引き出す電極部である。なお、内部電極１１１を介して第一の外部接続導体５へと流れ込んだ電流が内部電極１２１を介して、第三の外部接続導体７へと伝えられる。
【００８３】
内部電極１２６（第四の内部接続導体）は、第二の外部接続導体６と第四の外部接続導体８とを接続するための内部接続導体である。内部電極１２６は、主電極部１２７と引出電極部１２８，１２９とを含む。主電極部１２７は、矩形形状の電極部である。引出電極部１２８は、Ｘ方向における略中央から第一の端面２ｅ寄りの箇所において主電極部１２７と連接し、内部電極１２６を第一の側面２ｃの第二の外部接続導体６の形成領域に引き出す電極部である。引出電極部１２９は、Ｘ方向における略中央から第二の端面２ｆ寄りの箇所において主電極部１２７と連接し、内部電極１２６を第一の側面２ｃの第四の外部接続導体８の形成領域に引き出す電極部である。なお、第四の外部接続導体８へと流れ込んだ電流は、内部電極１２６を介して、第二の外部接続導体６へと伝えられる。
【００８４】
静電容量部１３０は、積層コンデンサ１０１において、静電容量を発生させる部分であり、図１３（ｃ）に示されるように、それぞれが別の誘電体層２ｇ上に形成される内部電極１３１，１３６から構成される。内部電極１３１，１３６は、誘電体層２ｇを介して積層方向に互いに対向するように積層され、一対の内部電極層を構成するようになっている。
【００８５】
内部電極１３１（第一の内部電極）は、主電極部１３２と引出電極部１３３とを含み、第三の外部接続導体７に接続される。主電極部１３２は、矩形形状の電極部である。引出電極部１３３は、Ｘ方向における略中央から第二の端面２ｆ寄りの箇所において主電極部１３２と連接し、内部電極１３１を第二の側面２ｄの第三の外部接続導体７の形成領域に引き出す電極部である。内部電極１３６（第二の内部電極）は、主電極部１３７と引出電極部１３８とを含み、第四の外部接続導体８に接続される。主電極部１３７は、矩形形状の電極部である。引出電極部１３８は、Ｘ方向における略中央から第二の端面２ｆ寄りの箇所において主電極部１３７と連接し、内部電極１３６を第一の側面２ｃの第四の外部接続導体８の形成領域に引き出す電極部である。
【００８６】
以上のように、本実施形態に係る積層コンデンサ１０１でも、第一及び第二実施形態と同様、第一のＥＳＲ制御部１１０に加えて第二のＥＳＲ制御部１２０を備えているため、端子電極３，４，５３，５４から静電容量部１３０への電流経路を十分に長くして、等価直列抵抗を増加させることができる。また、本実施形態に係る積層コンデンサ１０１でも、第一及び第二のＥＳＲ制御部１１０，１２０が、複数の誘電体層２ｇの積層方向において、静電容量部１３０を間に挟むように互いに離れて配置されるため、第一及び第二のＥＳＲ制御部１１０，１２０を結ぶ外部接続導体５，６の長さといった積層コンデンサ１０１の厚み分を利用して端子電極３，４，５３，５４から静電容量部１３０への電流経路を更に長くし、等価直列抵抗を増加させることができる。
【００８７】
また、本実施形態にかかる積層コンデンサ１０１は、第一及び第三の端子電極３，５３が素体２の同一側面に形成され、且つ、第二及び第四の端子電極４，５４が素体２の同一側面に形成されている。このため、第二実施形態と同様、積層コンデンサ１０１を実装する基板の配線パターンを簡略化させることができる。
【００８８】
また、本実施形態にかかる積層コンデンサ１０１は、第一及び第三の端子電極３，５３と当該端子電極とは異極性の第二及び第四の外部接続導体６，８とが素体２の同一側面に形成され、且つ、第二及び第四の端子電極４，５４と当該端子電極とは異極性の第一及び第三の外部接続導体５，７とが素体２の同一側面に形成されている。このため、端子電極や外部接続導体に流れる電流が逆向きになる箇所が生じるため、等価直列インダクタンスを減少させることができる。
【００８９】
ここで、第三実施形態にかかる積層コンデンサ１０１の変形例について図１４を参照して説明する。この変形例にかかる積層コンデンサ１０１は、素体２の内部に、第一及び第二のＥＳＲ制御部１１０，１２０や静電容量部１３０に代えて、第一及び第二のＥＳＲ制御部１１０ａ，１２０ａと静電容量部１３０ａとを備えている。変形例にかかる積層コンデンサ１０１の第一の側面２ｃには、第一の端面２ｅから第二の端面２ｆに向かって、第一の端子電極３、第四の外部接続導体８、第二の外部接続導体６及び第三の端子電極５３の順で各電極や導体が配置される。一方、第二の側面２ｄには、第一の端面２ｅから第二の端面２ｆに向かって、第二の端子電極４、第三の外部接続導体７、第一の外部接続導体５及び第四の端子電極５４の順で各電極や導体が配置される。つまり、この変形例では、第二及び第四の外部接続導体６，８の位置がそれぞれ交換されており、また、第一及び第三の外部接続導体５，７の位置がそれぞれ交換されている。
【００９０】
変形例にかかる積層コンデンサ１０１では、各外部接続導体の位置が交換されているため、第一のＥＳＲ制御部１１０ａにおいて、引出電極部１１４がＸ方向における略中央から第二の端面２ｆ寄りの箇所において主電極部１１２と連接するようになっており、引出電極部１１９がＸ方向における略中央から第二の端面２ｆ寄りの箇所において主電極部１１７と連接するようになっている。第二のＥＳＲ制御部１２０ａでは、引出電極部１２３，１２４の位置がそれぞれ交換されており、引出電極部１２８，１２９の位置もそれぞれ交換されている。静電容量部１３０ａでは、引出電極部１３３がＸ方向における略中央から第一の端面２ｅ寄りの箇所において主電極部１３２と連接するようになっており、引出電極部１３８がＸ方向における略中央から第一の端面２ｅ寄りの箇所において主電極部１３７と連接するようになっている。
【００９１】
この変形例にかかる積層コンデンサ１０１においても、端子電極３，４，５３，５４から静電容量部１３０ａへの電流経路が長くなっており、等価直列抵抗を増加できる。また、同一側面に同極性の端子電極が形成されるため、積層コンデンサ１０１を実装する基板の配線パターンを簡略化させることができる。
【００９２】
（第四実施形態）
次に、図１５及び図１６を参照して、第四実施形態にかかる積層コンデンサ１５１の構成について説明する。積層コンデンサ１５１は、第二実施形態の積層コンデンサ５１と同様、略直方体形状の素体２と、第一、第二、第三及び第四の端子電極３，４，５３，５４と、第一、第二、第三及び第四の外部接続導体５，６，７，８とを備え、素体２の内部に、第一のＥＳＲ制御部６０と第二のＥＳＲ制御部１７０と静電容量部１３０とを備えている。本実施形態では、図１５に示されるように、外部接続導体７，８の配置箇所が第二実施形態と異なっている。以下、第二実施形態と異なる点を中心に説明する。
【００９３】
まず、端子電極や外部接続導体の配置について説明する。本実施形態では、第一の端子電極３、第一の外部接続導体５、第四の外部接続導体８及び第三の端子電極５３は、第一の端面２ｅから第二の端面２ｆに向かって、この順に第一の側面２ｃに配置される。一方、第二の端子電極４、第二の外部接続導体６、第三の外部接続導体７及び第四の端子電極５４は、第一の端面２ｅから第二の端面２ｆに向かって、この順に第二の側面２ｄに配置される。
【００９４】
続いて、積層体を構成する各部及び各部に含まれる内部電極について説明する。なお、図１６（ａ）に示される第一のＥＳＲ制御部６０は、第二実施形態における第一のＥＳＲ制御部６０と同様であり（図１０（ａ）参照）、また、図１６（ｃ）に示される静電容量部１３０は、第三実施形態における静電容量部１３０と同様であり（図１３（ｃ）参照）、その説明は省略する。
【００９５】
第二のＥＳＲ制御部１７０は、第一のＥＳＲ制御部６０と共に、積層コンデンサ１５１のＥＳＲの増加等の制御を行う部分であり、図１６（ｂ）に示されるように、それぞれが別の誘電体層２ｇ上に形成される内部電極１７１，１７６から構成される。内部電極１７１，１７６は、誘電体層２ｇを介して積層方向に互いに対向するように積層され、一対の内部電極層を構成するようになっている。
【００９６】
内部電極１７１（第三の内部接続導体）は、第一の外部接続導体５と第三の外部接続導体７とを接続するための内部接続導体である。内部電極１７１は、主電極部１７２と引出電極部１７３，１７４とを含む。主電極部１７２は、矩形形状の電極部である。引出電極部１７３は、Ｘ方向における略中央から第一の端面２ｅ寄りの箇所において主電極部１７２と連接し、内部電極１７１を第一の側面２ｃの第一の外部接続導体５の形成領域に引き出す電極部である。引出電極部１７４は、Ｘ方向における略中央から第二の端面２ｆ寄りの箇所において主電極部１７２と連接し、内部電極１７１を第一の側面２ｃに対向する第二の側面２ｄの第三の外部接続導体７の形成領域に引き出す電極部である。なお、内部電極６１を介して第一の外部接続導体５へと流れ込んだ電流が内部電極１７１を介して、第三の外部接続導体７へと伝えられる。
【００９７】
内部電極１７６（第四の内部接続導体）は、第二の外部接続導体６と第四の外部接続導体８とを接続するための内部接続導体である。内部電極１７６は、主電極部１７７と引出電極部１７８，１７９とを含む。主電極部１７７は、矩形形状の電極部である。引出電極部１７８は、Ｘ方向における略中央から第一の端面２ｅ寄りの箇所において主電極部１７７と連接し、内部電極１７６を第二の側面２ｄの第二の外部接続導体６の形成領域に引き出す電極部である。引出電極部１７９は、Ｘ方向における略中央から第二の端面２ｆ寄りの箇所において主電極部１７７と連接し、内部電極１７６を第一の側面２ｃの第四の外部接続導体８の形成領域に引き出す電極部である。なお、第四の外部接続導体８へと流れ込んだ電流が内部電極１７６を介して、第二の外部接続導体６へと伝えられる。
【００９８】
以上のように、本実施形態に係る積層コンデンサ１５１でも、上述した各実施形態と同様、第一のＥＳＲ制御部６０に加えて第二のＥＳＲ制御部１７０を備えているため、端子電極３，４，５３，５４から静電容量部１３０への電流経路を十分に長くして、等価直列抵抗を増加させることができる。また、本実施形態に係る積層コンデンサ１５１でも、第一及び第二のＥＳＲ制御部６０，１７０が、複数の誘電体層２ｇの積層方向において、静電容量部１３０を間に挟むように互いに離れて配置されるため、第一及び第二のＥＳＲ制御部６０，１７０を結ぶ外部接続導体５，６の長さといった積層コンデンサ１５１の厚み分を利用して端子電極３，４，５３，５４から静電容量部１３０への電流経路を長くし、等価直列抵抗を増加させることができる。
【００９９】
また、本実施形態にかかる積層コンデンサ１５１は、第一及び第三の端子電極３，５３が素体２の同一側面に形成され、且つ、第二及び第四の端子電極４，５４が素体２の同一側面に形成されている。このため、第二及び第三の実施形態と同様、積層コンデンサ１５１を実装する基板の配線パターンを簡略化させることができる。
【０１００】
また、本実施形態にかかる積層コンデンサ１５１は、第一及び第四の外部接続導体５、８が素体２の同一側面に形成され、且つ、第二及び第三の外部接続導体６，７が素体２の同一側面に形成されている。このため、電流が逆向きになる箇所が多くなり、ＥＳＬを減少させることができる。
【０１０１】
ここで、第四実施形態にかかる積層コンデンサ１５１の変形例について図１７〜図１９を参照して説明する。まず、第一変形例にかかる積層コンデンサ１５１について説明する。第一変形例にかかる積層コンデンサ１５１は、第一及び第二のＥＳＲ制御部６０，１７０や静電容量部１３０に代えて、素体２の内部に、図１７に示されるように、第一及び第二のＥＳＲ制御部６０ａ，１７０ａと静電容量部１３０ａとを備えている。第一変形例にかかる積層コンデンサ１５１の第一の側面２ｃには、第一の端面２ｅから第二の端面２ｆに向かって、第一の端子電極３、第四の外部接続導体８、第一の外部接続導体５及び第三の端子電極５３の順で各電極や導体が配置される。一方、第二の側面２ｄには、第一の端面２ｅから第二の端面２ｆに向かって、第二の端子電極４、第三の外部接続導体７、第二の外部接続導体６及び第四の端子電極５４の順で各電極や導体が配置される。つまり、第一変形例では、第一及び第四の外部接続導体５，８の位置がそれぞれ交換されており、また、第二及び第三の外部接続導体６，７の位置がそれぞれ交換されている。
【０１０２】
第一変形例にかかる積層コンデンサ１５１では、各外部接続導体の位置が交換されているため、第一のＥＳＲ制御部６０ａにおいて、引出電極部６４が第二の端面２ｆ側に移動しており、引出電極部６９も第二の端面２ｆ側に移動している。第二のＥＳＲ制御部１７０ａでは、引出電極部１７３が第二の端面２ｆ側に移動しており、引出電極部１７４が第一の端面２ｅ側に移動している。また、引出電極部１７８が第二の端面２ｆ側に移動しており、引出電極部１７９が第一の端面２ｅ側に移動している。静電容量部１３０ａでは、引出電極部１３３，１３８が第一の端面２ｅ側に移動している。なお、第一変形例にかかる第一のＥＳＲ制御部６０ａは、第二実施形態の変形例にかかる第一のＥＳＲ制御部６０ａ（図１１（ａ）を参照）と同様であり、また、第一変形例にかかる静電容量部１３０ａは、第三実施形態にかかる静電容量部１３０ａと（図１４（ｃ）を参照）と同様である。
【０１０３】
次に、第二変形例にかかる積層コンデンサ１５１について説明する。第二変形例にかかる積層コンデンサ１５１は、第一及び第二のＥＳＲ制御部６０，１７０や静電容量部１３０に代えて、素体２の内部に、図１８に示されるように、第一及び第二のＥＳＲ制御部６０ｂ，１７０ｂと静電容量部１３０ｂとを備えている。第二変形例にかかる積層コンデンサ１５１では、第一の側面２ｃには、第一の端面２ｅから第二の端面２ｆに向かって、第一の端子電極３、第二の外部接続導体６、第三の外部接続導体７及び第三の端子電極５３の順で各電極や導体が配置される。一方、第二の側面２ｄには、第一の端面２ｅから第二の端面２ｆに向かって、第二の端子電極４、第一の外部接続導体５、第四の外部接続導体８及び第四の端子電極５４の順で各電極や導体が配置される。つまり、この変形例では、第一及び第二の外部接続導体５，６の位置がそれぞれ交換されており、また、第三及び第四の外部接続導体７，８の位置がそれぞれ交換されている。
【０１０４】
第二変形例にかかる積層コンデンサ１５１では、各外部接続導体の位置が交換されているため、第一のＥＳＲ制御部６０ｂにおいて、引出電極部６４が第二の側面２ｄ側に移動しており、引出電極部６９が第一の側面２ｃ側に移動している。第二のＥＳＲ制御部１７０ｂでは、引出電極部１７３が第二の側面２ｄ側に移動しており、引出電極部１７４が第一の側面２ｃ側に移動している。また、引出電極部１７８が第一の側面２ｃ側に移動しており、引出電極部１７９が第二の側面２ｄ側に移動している。静電容量部１３０ｂでは、引出電極部１３３が第一の側面２ｃ側に移動しており、引出電極部１３８が第二の側面２ｄ側に移動している。
【０１０５】
次に、第三変形例にかかる積層コンデンサ１５１について説明する。第三変形例にかかる積層コンデンサ１５１は、第一及び第二のＥＳＲ制御部６０，１７０や静電容量部１３０に代えて、素体２の内部に、図１９に示されるように、第一及び第二のＥＳＲ制御部６０ｃ，１７０ｃと静電容量部１３０ｃとを備えている。第三変形例にかかる積層コンデンサ１５１では、第一の側面２ｃには、第一の端面２ｅから第二の端面２ｆに向かって、第一の端子電極３、第三の外部接続導体７、第二の外部接続導体６及び第三の端子電極５３の順で各電極や導体が配置される。一方、第二の側面２ｄには、第一の端面２ｅから第二の端面２ｆに向かって、第二の端子電極４、第四の外部接続導体８、第一の外部接続導体５及び第四の端子電極５４の順で各電極や導体が配置される。つまり、この変形例では、第一及び第三の外部接続導体５，７の位置がそれぞれ交換されており、また、第二及び第四の外部接続導体６，８の位置がそれぞれ交換されている。言い換えると、各外部接続導体が誘電体層２ｇの中心を基準として点対称になるように交換されている。
【０１０６】
第三変形例にかかる積層コンデンサ１５１では、各外部接続導体の位置が交換されているため、第一のＥＳＲ制御部６０ｃにおいて、引出電極部６４が第二の側面２ｄ側に移動すると共に第二の端面２ｆ側にも移動しており、引出電極部６９が第一の側面２ｃ側に移動すると共に第二の端面２ｆ側にも移動している。第二のＥＳＲ制御部１７０ｃでは、引出電極部１７３が第二の側面２ｄ側に移動すると共に第二の端面２ｆ側にも移動しており、引出電極部１７４が第一の側面２ｃ側に移動すると共に第一の端面２ｅ側にも移動している。また、引出電極部１７８が第一の側面２ｃ側に移動すると共に第二の端面２ｆ側にも移動しており、引出電極部１７９が第二の側面２ｄ側に移動すると共に第一の端面２ｅ側にも移動している。静電容量部１３０ｃでは、引出電極部１３３が第一の側面２ｃ側に移動すると共に第一の端面２ｅ側にも移動しており、引出電極部１３８は、第二の側面２ｄ側に移動すると共に第一の端面２ｅ側にも移動している。
【０１０７】
このように、第一、第二及び第三変形例にかかる積層コンデンサ１５１においても、端子電極３，４，５３，５４から静電容量部１３０ａ，１３０ｂ，１３０ｃへの電流経路が長くなっており、等価直列抵抗を増加できる。また、同一側面に同極性の端子電極が形成されるため、積層コンデンサ１５１を実装する基板の配線パターンを簡略化させることができる。
【０１０８】
（第五実施形態）
次に、図２０及び図２１を参照して、第五実施形態にかかる積層コンデンサ２０１の構成について説明する。積層コンデンサ２０１は、第二実施形態の積層コンデンサ５１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部２１０，２２０と静電容量部２３０とを備えている。本実施形態では、図２０に示されるように、外部接続導体６，７の配置箇所が第二実施形態と異なっている。以下、第二実施形態と異なる点を中心に説明する。
【０１０９】
まず、端子電極や外部接続導体の配置について説明する。本実施形態では、図２０に示されるように、第一の端子電極３、第一の外部接続導体５、第二の外部接続導体６及び第三の端子電極５３は、第一の端面２ｅから第二の端面２ｆに向かって、この順に第一の側面２ｃに配置される。一方、第二の端子電極４、第三の外部接続導体７、第四の外部接続導体８及び第四の端子電極５４は、第一の端面２ｅから第二の端面２ｆに向かって、この順に第二の側面２ｄに配置される。つまり、第五実施形態では、異極性同士の外部接続導体が互いに隣接して同じ側面に配置される。
【０１１０】
続いて、積層体を構成する各部及び各部に含まれる内部電極について説明する。第一のＥＳＲ制御部２１０は、積層コンデンサ２０１のＥＳＲの増加等の制御を行う部分であり、図２１（ａ）に示されるように、それぞれが別の誘電体層２ｇ上に形成される内部電極２１１，２１６から構成される。内部電極２１１，２１６は、誘電体層２ｇを介して積層方向に互いに対向するように積層され、一対の内部電極層を構成するようになっている。
【０１１１】
内部電極２１１（第一の内部接続導体）は、第一及び第三の端子電極３，５３と第一の外部接続導体５とを接続するための内部接続導体である。内部電極２１１は、主電極部２１２と引出電極部２１３ａ，２１３ｂ，２１４とを含む。主電極部２１２は、矩形形状の電極部である。引出電極部２１３ａは、Ｘ方向における第一の端面２ｅ側において主電極部２１２と連接し、内部電極２１１を第一の側面２ｃの第一の端子電極３の形成領域に引き出す電極部である。
【０１１２】
引出電極部２１３ｂは、Ｘ方向における第二の端面２ｆ側において主電極部２１２と連接し、内部電極２１１を第一の側面２ｃの第三の端子電極５３の形成領域に引き出す電極部である。引出電極部２１４は、Ｘ方向における略中央から第一の端面２ｅ寄りの箇所において主電極部２１２と連接し、内部電極２１１を第一の側面２ｃの第一の外部接続導体５の形成領域に引き出す電極部である。なお、プラス電極Ｓ１から第一及び第三の端子電極３，５３へと流れ込んだ電流は、第二実施形態と同様、内部電極２１１を介して第一の外部接続導体５へと伝えられる。
【０１１３】
内部電極２１６（第二の内部接続導体）は、第二及び第四の端子電極４，５４と第二の外部接続導体６とを接続するための内部接続導体である。内部電極２１６は、主電極部２１７と引出電極部２１８ａ，２１８ｂ，２１９とを含む。主電極部２１７は、矩形形状の電極部である。引出電極部２１８ａは、Ｘ方向における第一の端面２ｅ側において主電極部２１７と連接し、内部電極２１６を第二の側面２ｄの第二の端子電極４の形成領域に引き出す電極部である。
【０１１４】
引出電極部２１８ｂは、Ｘ方向における第二の端面２ｆ側において主電極部２１７と連接し、内部電極２１６を第二の側面２ｄの第四の端子電極５４の形成領域に引き出す電極部である。引出電極部２１９は、Ｘ方向における略中央から第二の端面２ｆ寄りの箇所において主電極部２１７と連接し、内部電極２１６を第一の側面２ｃの第二の外部接続導体６の形成領域に引き出す電極部である。なお、第二の外部接続導体６へと流れ込んだ電流が内部電極２１６を介して第二及び第四の端子電極４，５４やマイナス電極Ｓ２へと伝えられる。
【０１１５】
第二のＥＳＲ制御部２２０は、積層コンデンサ２０１のＥＳＲの増加等の制御を行う部分であり、図２１（ｂ）に示されるように、それぞれが別の誘電体層２ｇ上に形成される内部電極２２１，２２６から構成される。内部電極２２１，２２６は、誘電体層２ｇを介して積層方向に互いに対向するように積層され、一対の内部電極層を構成するようになっている。
【０１１６】
内部電極２２１（第三の内部接続導体）は、第一の外部接続導体５と第三の外部接続導体７とを接続するための内部接続導体である。内部電極２２１は、主電極部２２２と引出電極部２２３，２２４とを含む。主電極部２２２は、矩形形状の電極部である。引出電極部２２３は、Ｘ方向における略中央から第一の端面２ｅ寄りの箇所において主電極部２２２と連接し、内部電極２２１を第一の側面２cの第一の外部接続導体５の形成領域に引き出す電極部である。引出電極部２２４は、Ｘ方向における略中央から第一の端面２ｅ寄りの箇所において主電極部２２２と連接し、内部電極２２１を第二の側面２ｄの第三の外部接続導体７の形成領域に引き出す電極部である。なお、内部電極２１１を介して第一の外部接続導体５へと流れ込んだ電流が内部電極２２１を介して、第三の外部接続導体７へと伝えられる。
【０１１７】
内部電極２２６（第四の内部接続導体）は、第二の外部接続導体６と第四の外部接続導体８とを接続するための内部接続導体である。内部電極２２６は、主電極部２２７と引出電極部２２８，２２９とを含む。主電極部２２７は、矩形形状の電極部である。引出電極部２２８は、Ｘ方向における略中央から第二の端面２ｆ寄りの箇所において主電極部２２７と連接し、内部電極２２６を第一の側面２ｃの第二の外部接続導体６の形成領域に引き出す電極部である。引出電極部２２９は、Ｘ方向における略中央から第二の端面２ｆ寄りの箇所において主電極部２２７と連接し、内部電極２２６を第二の側面２ｄの第四の外部接続導体８の形成領域に引き出す電極部である。なお、第四の外部接続導体８へと流れ込んだ電流は、内部電極２２６を介して、第二の外部接続導体６へと伝えられる。
【０１１８】
静電容量部２３０は、積層コンデンサ２０１において、静電容量を発生させる部分であり、図２１（ｃ）に示されるように、それぞれが別の誘電体層２ｇ上に形成される内部電極２３１，２３６から構成される。内部電極２３１，２３６は、誘電体層２ｇを介して積層方向に互いに対向するように積層され、一対の内部電極層を構成するようになっている。
【０１１９】
内部電極２３１（第一の内部電極）は、主電極部２３２と引出電極部２３３とを含み、第三の外部接続導体７に接続される。主電極部２３２は、矩形形状の電極部である。引出電極部２３３は、Ｘ方向における略中央から第一の端面２ｅ寄りの箇所において主電極部２３２と連接し、内部電極２３１を第二の側面２ｄの第三の外部接続導体７の形成領域に引き出す電極部である。内部電極２３６（第二の内部電極）は、主電極部２３７と引出電極部２３８とを含み、第四の外部接続導体８に接続される。主電極部２３７は、矩形形状の電極部である。引出電極部２３８は、Ｘ方向における略中央から第二の端面２ｆ寄りの箇所において主電極部２３７と連接し、内部電極２３６を第二の側面２ｄの第四の外部接続導体８の形成領域に引き出す電極部である。
【０１２０】
以上のように、本実施形態に係る積層コンデンサ２０１でも、上述した各実施形態と同様、第一のＥＳＲ制御部２１０に加えて第二のＥＳＲ制御部２２０を備えているため、端子電極３，４，５３，５４から静電容量部２３０への電流経路を十分に長くして、等価直列抵抗を増加させることができる。また、本実施形態に係る積層コンデンサ２０１でも、第一及び第二のＥＳＲ制御部２１０，２２０が、複数の誘電体層２ｇの積層方向において、静電容量部２３０を間に挟むように互いに離れて配置されるため、第一及び第二のＥＳＲ制御部２１０，２２０を結ぶ外部接続導体５，６の長さといった積層コンデンサ２０１の厚み分を利用して端子電極３，４，５３，５４から静電容量部２３０への電流経路を長くし、等価直列抵抗を増加させることができる。
【０１２１】
また、本実施形態にかかる積層コンデンサ２０１では、第一及び第三の端子電極３，５３が素体２の同一側面に形成され、且つ、第二及び第四の端子電極４，５４が素体２の同一側面に形成されている。このため、第二実施形態と同様、積層コンデンサ２０１を実装する基板の配線パターンを簡略化させることができる。
【０１２２】
また、本実施形態にかかる積層コンデンサ２０１では、第一及び第二の外部接続導体５，６が素体２の同一側面２ｃに形成され、第三及び第四の外部接続導体７，８が素体２の同一側面２ｄに形成されている。このため、第一及び第二のＥＳＲ制御部２１０，２２０や静電容量部２３０において、異極性の内部電極の間で電流が逆向きに流れる箇所が生じるため、ＥＳＬを減少させることができる。
【０１２３】
ここで、第五実施形態にかかる積層コンデンサ２０１の変形例について図２２〜図２８を参照して説明する。まず、第一変形例にかかる積層コンデンサ２０１について説明する。第一変形例にかかる積層コンデンサ２０１は、第一及び第二のＥＳＲ制御部２１０，２２０や静電容量部２３０に代えて、素体２の内部に、図２２に示されるように、第一及び第二のＥＳＲ制御部２１０ａ，２２０ａと静電容量部２３０ａとを備えている。第一変形例にかかる積層コンデンサ２０１の第一の側面２ｃには、第一の端面２ｅから第二の端面２ｆに向かって、第一の端子電極３、第二の外部接続導体６、第一の外部接続導体５及び第三の端子電極５３の順で各電極や導体が配置される。一方、第二の側面２ｄには、第一の端面２ｅから第二の端面２ｆに向かって、第二の端子電極４、第四の外部接続導体８、第三の外部接続導体７及び第四の端子電極５４の順で各電極や導体が配置される。つまり、第一変形例では、第一及び第二の外部接続導体５，６の位置がそれぞれ交換されており、また、第三及び第四の外部接続導体７，８の位置がそれぞれ交換されている。
【０１２４】
第一変形例にかかる積層コンデンサ２０１では、各外部接続導体の位置が交換されているため、第一のＥＳＲ制御部２１０ａにおいて、引出電極部２１４が第二の端面２ｆ側に移動しており、引出電極部２１９は第一の端面２ｅ側に移動している。第二のＥＳＲ制御部２２０ａでは、引出電極部２２３，２２４が第二の端面２ｆ側に移動している。また、引出電極部２２８，２２９が第一の端面２ｅ側に移動している。静電容量部２３０ａでは、引出電極部２３３が第二の端面２ｆ側に移動しており、引出電極部２３８が第一の端面２ｅ側に移動している。
【０１２５】
次に、第二変形例にかかる積層コンデンサ２０１について説明する。第二変形例にかかる積層コンデンサ２０１は、第二のＥＳＲ制御部２２０や静電容量部２３０に代えて、素体２の内部に、図２３に示されるように、第二のＥＳＲ制御部２２０ｂと静電容量部２３０ｂとを備えている。なお、第二変形例にかかる第一のＥＳＲ制御部２１０は、第五実施形態と同様である。第二変形例にかかる積層コンデンサ２０１では、第一の側面２ｃには、第五実施形態と同様に、第一の端面２ｅから第二の端面２ｆに向かって、第一の端子電極３、第一の外部接続導体５、第二の外部接続導体６及び第三の端子電極５３の順で各電極や導体が配置される。一方、第二の側面２ｄには、第一の端面２ｅから第二の端面２ｆに向かって、第二の端子電極４、第四の外部接続導体８、第三の外部接続導体７及び第四の端子電極５４の順で各電極や導体が配置される。つまり、この変形例では、第三及び第四の外部接続導体７，８の位置が交換されている。
【０１２６】
第二変形例にかかる積層コンデンサ２０１では、外部接続導体の位置が交換されているため、第二のＥＳＲ制御部２２０ｂでは、引出電極部２２４が第二の端面２ｆ側に移動しており、引出電極部２２９が第一の端面２ｅ側に移動している。静電容量部２３０ｂでは、引出電極部２３３が第二の端面２ｆ側に移動しており、引出電極部２３８が第一の端面２ｅ側に移動している。
【０１２７】
次に、第三変形例にかかる積層コンデンサ２０１について説明する。第三変形例にかかる積層コンデンサ２０１は、第一及び第二のＥＳＲ制御部２１０，２２０に代えて、素体２の内部に、図２４に示されるように、第一及び第二のＥＳＲ制御部２１０ｃ，２２０ｃを備えている。なお、第三変形例にかかる静電容量部２３０は、第五実施形態と同様である。第三変形例にかかる積層コンデンサ２０１では、第一の側面２ｃには、第一の端面２ｅから第二の端面２ｆに向かって、第一の端子電極３、第二の外部接続導体６、第一の外部接続導体５及び第三の端子電極５３の順で各電極や導体が配置される。一方、第二の側面２ｄには、第五実施形態と同様に、第一の端面２ｅから第二の端面２ｆに向かって、第二の端子電極４、第三の外部接続導体７、第四の外部接続導体８及び第四の端子電極５４の順で各電極や導体が配置される。つまり、この変形例では、第一及び第二の外部接続導体５，６の位置が交換されている。
【０１２８】
第三変形例にかかる積層コンデンサ２０１では、外部接続導体の位置が交換されているため、第一のＥＳＲ制御部２１０ｃでは、引出電極部２１４が第二の端面２ｆ側に移動しており、引出電極部２１９が第一の端面２ｅ側に移動している。第二のＥＳＲ制御部２２０ｃでは、引出電極部２２３が第二の端面２ｆ側に移動しており、引出電極部２２８が第一の端面２ｅ側に移動している。
【０１２９】
次に、第四変形例にかかる積層コンデンサ２０１について説明する。第四変形例にかかる積層コンデンサ２０１は、第一及び第二のＥＳＲ制御部２１０，２２０や静電容量部２３０に代えて、素体２の内部に、図２５に示されるように、第一及び第二のＥＳＲ制御部２１０ｄ，２２０ｄと静電容量部２３０ｄとを備えている。第四変形例にかかる積層コンデンサ２０１の第一の側面２ｃには、第一の端面２ｅから第二の端面２ｆに向かって、第一の端子電極３、第三の外部接続導体７、第四の外部接続導体８及び第三の端子電極５３の順で各電極や導体が配置される。一方、第二の側面２ｄには、第一の端面２ｅから第二の端面２ｆに向かって、第二の端子電極４、第一の外部接続導体５、第二の外部接続導体６及び第四の端子電極５４の順で各電極や導体が配置される。つまり、第四変形例では、第一及び第二の外部接続導体５，６と第三及び第四の外部接続導体７，８との位置がそれぞれ交換されている。
【０１３０】
第四変形例にかかる積層コンデンサ２０１では、各外部接続導体の位置が交換されているため、第一のＥＳＲ制御部２１０ｄにおいて、引出電極部２１４が第二の側面２ｄ側に移動しており、引出電極部２１９は第二の側面２ｄ側に移動している。第二のＥＳＲ制御部２２０ｄでは、引出電極部２２３，２２４の位置が交換されており、引出電極部２２８，２２９の位置が交換されている。静電容量部２３０ｄでは、引出電極部２３３，２３８が第一の側面２ｃ側に移動している。
【０１３１】
次に、第五変形例にかかる積層コンデンサ２０１について説明する。第五変形例にかかる積層コンデンサ２０１は、第一及び第二のＥＳＲ制御部２１０，２２０や静電容量部２３０に代えて、素体２の内部に、図２６に示されるように、第一及び第二のＥＳＲ制御部２１０ｅ，２２０ｅと静電容量部２３０ｅとを備えている。第五変形例にかかる積層コンデンサ２０１の第一の側面２ｃには、第一の端面２ｅから第二の端面２ｆに向かって、第一の端子電極３、第四の外部接続導体８、第三の外部接続導体７及び第三の端子電極５３の順で各電極や導体が配置される。一方、第二の側面２ｄには、第一の端面２ｅから第二の端面２ｆに向かって、第二の端子電極４、第二の外部接続導体６、第一の外部接続導体５及び第四の端子電極５４の順で各電極や導体が配置される。つまり、第五変形例では、第一及び第四の外部接続導体５，８の位置が交換され、第二及び第三の外部接続導体６，７の位置が交換されている。
【０１３２】
第五変形例にかかる積層コンデンサ２０１では、各外部接続導体の位置が交換されているため、第一のＥＳＲ制御部２１０ｅにおいて、引出電極部２１４が第二の側面２ｄ側に移動すると共に第二の端面２ｆ側に移動しており、引出電極部２１９が第二の側面２ｄ側に移動すると共に第一の端面２ｅ側に移動している。第二のＥＳＲ制御部２２０ｅでは、引出電極部２２３，２２４の位置が交換されると共に両引出電極部２２３，２２４が第二の端面２ｆ側に移動しており、また、引出電極部２２８，２２９の位置が交換されると共に両引出電極部２２８，２２９が第一の端面２ｅ側に移動している。静電容量部２３０ｅでは、引出電極部２３３が第一の側面２ｃ側に移動すると共に第二の端面２ｆ側に移動しており、また、引出電極部２３８が第一の側面２ｃ側に移動すると共に第一の端面２ｅ側に移動している。
【０１３３】
次に、第六変形例にかかる積層コンデンサ２０１について説明する。第六変形例にかかる積層コンデンサ２０１は、第一及び第二のＥＳＲ制御部２１０，２２０や静電容量部２３０に代えて、素体２の内部に、図２７に示されるように、第一及び第二のＥＳＲ制御部２１０ｆ，２２０ｆと静電容量部２３０ｆとを備えている。第六変形例にかかる積層コンデンサ２０１の第一の側面２ｃには、第一の端面２ｅから第二の端面２ｆに向かって、第一の端子電極３、第四の外部接続導体８、第三の外部接続導体７及び第三の端子電極５３の順で各電極や導体が配置される。一方、第二の側面２ｄには、第一の端面２ｅから第二の端面２ｆに向かって、第二の端子電極４、第一の外部接続導体５、第二の外部接続導体６及び第四の端子電極５４の順で各電極や導体が配置される。つまり、第六変形例では、第一及び第二の外部接続導体５，６と第三及び第四の外部接続導体７，８との位置が交換され、更に、第三及び第四の外部接続導体７，８の位置が相互に交換されている。
【０１３４】
第六変形例にかかる積層コンデンサ２０１では、各外部接続導体の位置が交換されているため、第一のＥＳＲ制御部２１０ｆにおいて、引出電極部２１４が第二の側面２ｄ側に移動しており、引出電極部２１９が第二の側面２ｄ側に移動している。第二のＥＳＲ制御部２２０ｆでは、引出電極部２２３が第二の側面２ｄ側に移動し、引出電極部２２４が第一の側面２ｃ側に移動すると共に第二の端面２ｆ側に移動している。また、引出電極部２２８が第二の側面２ｄ側に移動し、引出電極部２２９が第一の側面２ｃ側に移動すると共に第一の端面２ｅ側に移動している。静電容量部２３０ｆでは、引出電極部２３３が第一の側面２ｃ側に移動すると共に第二の端面２ｆ側に移動しており、また、引出電極部２３８が第一の側面２ｃ側に移動すると共に第一の端面２ｅ側に移動している。
【０１３５】
次に、第七変形例にかかる積層コンデンサ２０１について説明する。第七変形例にかかる積層コンデンサ２０１は、第一及び第二のＥＳＲ制御部２１０，２２０や静電容量部２３０に代えて、素体２の内部に、図２８に示されるように、第一及び第二のＥＳＲ制御部２１０ｇ，２２０ｇと静電容量部２３０ｇとを備えている。第七変形例にかかる積層コンデンサ２０１の第一の側面２ｃには、第一の端面２ｅから第二の端面２ｆに向かって、第一の端子電極３、第三の外部接続導体７、第四の外部接続導体８及び第三の端子電極５３の順で各電極や導体が配置される。一方、第二の側面２ｄには、第一の端面２ｅから第二の端面２ｆに向かって、第二の端子電極４、第二の外部接続導体６、第一の外部接続導体５及び第四の端子電極５４の順で各電極や導体が配置される。つまり、第七変形例では、第一及び第二の外部接続導体５，６と第三及び第四の外部接続導体７，８との位置が交換され、更に、第一及び第二の外部接続導体５，６の位置が相互に交換されている。
【０１３６】
第七変形例にかかる積層コンデンサ２０１では、各外部接続導体の位置が交換されているため、第一のＥＳＲ制御部２１０ｇにおいて、引出電極部２１４が第二の側面２ｄ側に移動すると共に第二の端面２ｆ側に移動しており、引出電極部２１９が第二の側面２ｄ側に移動すると共に第一の端面２ｅ側に移動している。第二のＥＳＲ制御部２２０ｇでは、引出電極部２２３が第二の側面２ｄ側に移動すると共に第二の端面２ｆ側に移動し、引出電極部２２４が第一の側面２ｃ側に移動している。また、引出電極部２２８が第二の側面２ｄ側に移動すると共に第一の端面２ｅ側に移動し、引出電極部２２９が第一の側面２ｃ側に移動している。静電容量部２３０ｇでは、引出電極部２３３，２３８が第一の側面２ｃ側に移動している。
【０１３７】
このように、上述した各変形例にかかる積層コンデンサ２０１においても、端子電極３，４，５３，５４から静電容量部２３０ａ〜２３０ｇへの電流経路が長くなっており、等価直列抵抗を増加できる。また、同一側面に同極性の端子電極が形成されるため、積層コンデンサ２０１を実装する基板の配線パターンを簡略化させることができる。
【０１３８】
（第六実施形態）
次に、図２９及び図３０を参照して、第六実施形態にかかる積層コンデンサ２５１の構成について説明する。積層コンデンサ２５１は、第二実施形態の積層コンデンサ５１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部２６０，２７０と静電容量部２８０とを備えている。本実施形態では、図２９に示されるように、第三及び第四の端子電極５３，５４の配置箇所が第二実施形態と異なっており、各側面に配置される端子電極が互いに異極性の端子電極となるようになっている。以下、第二実施形態と異なる点を中心に説明する。
【０１３９】
まず、端子電極や外部接続導体の配置について説明する。本実施形態では、図２９に示されるように、第一の端子電極３、第一の外部接続導体５、第三の外部接続導体７及び第四の端子電極５４は、第一の端面２ｅから第二の端面２ｆに向かって、この順に第一の側面２ｃに配置される。一方、第二の端子電極４、第二の外部接続導体６、第四の外部接続導体８及び第三の端子電極５３は、第一の端面２ｅから第二の端面２ｆに向かって、この順に第二の側面２ｄに配置される。つまり、第五実施形態では、異極性同士の端子電極が同じ側面に配置される。
【０１４０】
続いて、積層体を構成する各部及び各部に含まれる内部電極について説明する。第一のＥＳＲ制御部２６０は、積層コンデンサ２５１のＥＳＲの増加等の制御を行う部分であり、図３０（ａ）に示されるように、それぞれが別の誘電体層２ｇ上に形成される内部電極２６１，２６６から構成される。内部電極２６１，２６６は、誘電体層２ｇを介して積層方向に互いに対向するように積層され、一対の内部電極層を構成するようになっている。
【０１４１】
内部電極２６１（第一の内部接続導体）は、第一及び第三の端子電極３，５３と第一の外部接続導体５とを接続するための内部接続導体である。内部電極２６１は、主電極部２６２と引出電極部２６３ａ，２６３ｂ，２６４とを含む。主電極部２６２は、矩形形状の電極部である。引出電極部２６３ａは、Ｘ方向における第一の端面２ｅ側において主電極部２６２と連接し、内部電極２６１を第一の側面２ｃの第一の端子電極３の形成領域に引き出す電極部である。
【０１４２】
引出電極部２６３ｂは、Ｘ方向における第二の端面２ｆ側において主電極部２６２と連接し、内部電極２６１を第二の側面２ｄの第三の端子電極５３の形成領域に引き出す電極部である。引出電極部２６４は、Ｘ方向における略中央から第一の端面２ｅ寄りの箇所において主電極部２６２と連接し、内部電極２６１を第一の側面２ｃの第一の外部接続導体５の形成領域に引き出す電極部である。なお、プラス電極Ｓ１から第一及び第三の端子電極３，５３へと流れ込んだ電流は、第二実施形態と同様、内部電極２６１を介して第一の外部接続導体５へと伝えられる。
【０１４３】
内部電極２６６（第二の内部接続導体）は、第二及び第四の端子電極４，５４と第二の外部接続導体６とを接続するための内部接続導体である。内部電極２６６は、主電極部２６７と引出電極部２６８ａ，２６８ｂ，２６９とを含む。主電極部２６７は、矩形形状の電極部である。引出電極部２６８ａは、Ｘ方向における第一の端面２ｅ側において主電極部２６７と連接し、内部電極２６６を第二の側面２ｄの第二の端子電極４の形成領域に引き出す電極部である。
【０１４４】
引出電極部２６８ｂは、Ｘ方向における第二の端面２ｆ側において主電極部２６７と連接し、内部電極２６６を第一の側面２ｃの第四の端子電極５４の形成領域に引き出す電極部である。引出電極部２６９は、Ｘ方向における略中央から第一の端面２ｅ寄りの箇所において主電極部２６７と連接し、内部電極２６６を第二の側面２ｄの第二の外部接続導体６の形成領域に引き出す電極部である。なお、第二の外部接続導体６へと流れ込んだ電流が内部電極２６６を介して第二及び第四の端子電極４，５４やマイナス電極Ｓ２へと伝えられる。
【０１４５】
第二のＥＳＲ制御部２７０は、積層コンデンサ２５１のＥＳＲの増加等の制御を行う部分であり、図３０（ｂ）に示されるように、それぞれが別の誘電体層２ｇ上に形成される内部電極２７１，２７６から構成される。内部電極２７１，２７６は、誘電体層２ｇを介して積層方向に互いに対向するように積層され、一対の内部電極層を構成するようになっている。
【０１４６】
内部電極２７１（第三の内部接続導体）は、第一の外部接続導体５と第三の外部接続導体７とを接続するための内部接続導体である。内部電極２７１は、主電極部２７２と引出電極部２７３，２７４とを含む。主電極部２７２は、矩形形状の電極部である。引出電極部２７３は、Ｘ方向における略中央から第一の端面２ｅ寄りの箇所において主電極部２７２と連接し、内部電極２７１を第一の側面２ｃの第一の外部接続導体５の形成領域に引き出す電極部である。引出電極部２７４は、Ｘ方向における略中央から第二の端面２ｆ寄りの箇所において主電極部２７２と連接し、内部電極２７１を第一の側面２ｃの第三の外部接続導体７の形成領域に引き出す電極部である。なお、内部電極２６１を介して第一の外部接続導体５へと流れ込んだ電流が内部電極２７１を介して、第三の外部接続導体７へと伝えられる。
【０１４７】
内部電極２７６（第四の内部接続導体）は、第二の外部接続導体６と第四の外部接続導体８とを接続するための内部接続導体である。内部電極２７６は、主電極部２７７と引出電極部２７８，２７９とを含む。主電極部２７７は、矩形形状の電極部である。引出電極部２７８は、Ｘ方向における略中央から第一の端面２ｅ寄りの箇所において主電極部２７７と連接し、内部電極２７６を第二の側面２ｄの第二の外部接続導体６の形成領域に引き出す電極部である。引出電極部２７９は、Ｘ方向における略中央から第二の端面２ｆ寄りの箇所において主電極部２７７と連接し、内部電極２７６を第二の側面２ｄの第四の外部接続導体８の形成領域に引き出す電極部である。なお、第四の外部接続導体８へと流れ込んだ電流は、内部電極２７６を介して、第二の外部接続導体６へと伝えられる。
【０１４８】
静電容量部２８０は、積層コンデンサ２５１において、静電容量を発生させる部分であり、図３０（ｃ）に示されるように、それぞれが別の誘電体層２ｇ上に形成される内部電極２８１，２８６から構成される。内部電極２８１，２８６は、誘電体層２ｇを介して積層方向に互いに対向するように積層され、一対の内部電極層を構成するようになっている。
【０１４９】
内部電極２８１（第一の内部電極）は、主電極部２８２と引出電極部２８３とを含み、第三の外部接続導体７に接続される。主電極部２８２は、矩形形状の電極部である。引出電極部２８３は、Ｘ方向における略中央から第二の端面２ｆ寄りの箇所において主電極部２８２と連接し、内部電極２８１を第一の側面２ｃの第三の外部接続導体７の形成領域に引き出す電極部である。内部電極２８６（第二の内部電極）は、主電極部２８７と引出電極部２８８とを含み、第四の外部接続導体８に接続される。主電極部２８７は、矩形形状の電極部である。引出電極部２８８は、Ｘ方向における略中央から第二の端面２ｆ寄りの箇所において主電極部２８７と連接し、内部電極２８６を第二の側面２ｄの第四の外部接続導体８の形成領域に引き出す電極部である。
【０１５０】
以上のように、本実施形態に係る積層コンデンサ２５１でも、上述した各実施形態と同様、第一のＥＳＲ制御部２６０に加えて第二のＥＳＲ制御部２７０を備えているため、端子電極３，４，５３，５４から静電容量部２８０への電流経路を十分に長くして、等価直列抵抗を増加させることができる。また、本実施形態に係る積層コンデンサ２５１でも、第一及び第二のＥＳＲ制御部２６０，２７０が、複数の誘電体層２ｇの積層方向において、静電容量部２８０を間に挟むように互いに離れて配置されるため、第一及び第二のＥＳＲ制御部２６０，２７０を結ぶ外部接続導体５，６の長さといった積層コンデンサ２５１の厚み分を利用して端子電極３，４，５３，５４から静電容量部２８０への電流経路を長くし、等価直列抵抗を増加させることができる。
【０１５１】
また、本実施形態にかかる積層コンデンサ２５１では、第一の端子電極３と同極性に接続されるための第三の端子電極５３と、第二の端子電極４と同極性に接続されるための第四の端子電極５４とを更に備え、第一及び第四の端子電極３，５４が素体２の同一側面に形成され、且つ、第二及び第三の端子電極４，５３が素体２の同一側面に形成されている。そして、第一及び第三の外部接続導体５，７が素体２の同一側面に形成され、且つ、第二及び第四の外部接続導体６，８が素体２の同一側面に形成されている。このため、電流が逆向きに流れる箇所が生じるため、ＥＳＬを減少させることができる。
【０１５２】
ここで、第六実施形態にかかる積層コンデンサ２５１の変形例について図３１〜図３３を参照して説明する。まず、第一変形例にかかる積層コンデンサ２５１について説明する。第一変形例にかかる積層コンデンサ２５１は、第一及び第二のＥＳＲ制御部２６０，２７０や静電容量部２８０に代えて、素体２の内部に、図３１に示されるように、第一及び第二のＥＳＲ制御部２６０ａ，２７０ａと静電容量部２８０ａとを備えている。第一変形例にかかる積層コンデンサ２５１の第一の側面２ｃには、第一の端面２ｅから第二の端面２ｆに向かって、第一の端子電極３、第三の外部接続導体７、第一の外部接続導体５及び第四の端子電極５４の順で各電極や導体が配置される。一方、第二の側面２ｄには、第一の端面２ｅから第二の端面２ｆに向かって、第二の端子電極４、第四の外部接続導体８、第二の外部接続導体６及び第三の端子電極５３の順で各電極や導体が配置される。つまり、第一変形例では、第一及び第三の外部接続導体５，７の位置がそれぞれ交換されており、また、第二及び第四の外部接続導体６，８の位置がそれぞれ交換されている。
【０１５３】
第一変形例にかかる積層コンデンサ２５１では、各外部接続導体の位置が交換されているため、第一のＥＳＲ制御部２６０ａにおいて、引出電極部２６４，２６９が第二の端面２ｆ側に移動している。第二のＥＳＲ制御部２７０ａでは、引出電極部２７３，２７４の位置が交換されており、また、引出電極部２７８，２７９の位置が交換されている。静電容量部２８０ａでは、引出電極部２８３，２８８が第一の端面２ｅ側に移動している。
【０１５４】
次に、第二変形例にかかる積層コンデンサ２５１について説明する。第二変形例にかかる積層コンデンサ２５１は、第一及び第二のＥＳＲ制御部２６０，２７０や静電容量部２８０に代えて、素体２の内部に、図３２に示されるように、第一及び第二のＥＳＲ制御部２６０ｂ，２７０ｂと静電容量部２８０ｂとを備えている。第二変形例にかかる積層コンデンサ２５１では、第一の側面２ｃには、第一の端面２ｅから第二の端面２ｆに向かって、第一の端子電極３、第二の外部接続導体６、第四の外部接続導体８及び第四の端子電極５４の順で各電極や導体が配置される。一方、第二の側面２ｄには、第一の端面２ｅから第二の端面２ｆに向かって、第二の端子電極４、第一の外部接続導体５、第三の外部接続導体７及び第三の端子電極５３の順で各電極や導体が配置される。つまり、この変形例では、第一及び第三の外部接続導体５，７と第二及び第四の外部接続導体６，８との位置が交換されている。
【０１５５】
第二変形例にかかる積層コンデンサ２５１では、外部接続導体の位置が交換されているため、第一のＥＳＲ制御部２６０ｂでは、引出電極部２６４が第二の側面２ｄ側に移動しており、また、引出電極部２６９が第一の側面２ｃ側に移動している。第二のＥＳＲ制御部２７０ｂでは、引出電極部２７３，２７４が第二の側面２ｄ側に移動しており、引出電極部２７８，２７９が第一の側面２ｃ側に移動している。静電容量部２８０ｂでは、引出電極部２８３が第二の側面２ｄ側に移動しており、引出電極部２８８が第一の側面２ｃ側に移動している。
【０１５６】
次に、第三変形例にかかる積層コンデンサ２５１について説明する。第三変形例にかかる積層コンデンサ２５１は、第一及び第二のＥＳＲ制御部２６０，２７０及び静電容量部２８０に代えて、素体２の内部に、図３３に示されるように、第一及び第二のＥＳＲ制御部２６０ｃ，２７０ｃ及び静電容量部２８０ｃを備えている。第三変形例にかかる積層コンデンサ２５１では、第一の側面２ｃには、第一の端面２ｅから第二の端面２ｆに向かって、第一の端子電極３、第四の外部接続導体８、第二の外部接続導体６及び第四の端子電極５４の順で各電極や導体が配置される。一方、第二の側面２ｄには、第一の端面２ｅから第二の端面２ｆに向かって、第二の端子電極４、第三の外部接続導体７、第一の外部接続導体５及び第三の端子電極５３の順で各電極や導体が配置される。つまり、この変形例では、第一及び第四の外部接続導体５，８の位置が交換されており、また、第二及び第三の外部接続導体６，７の位置が交換されている。
【０１５７】
第三変形例にかかる積層コンデンサ２５１では、外部接続導体の位置が交換されているため、第一のＥＳＲ制御部２６０ｃでは、引出電極部２６４が第二の側面２ｄ側に移動すると共に第二の端面２ｆ側に移動しており、引出電極部２６９が第一の側面２ｃ側に移動すると共に第二の端面２ｆ側に移動している。第二のＥＳＲ制御部２７０ｃでは、引出電極部２７３，２７４が第二の側面２ｄ側に移動すると共に互いの位置を交換しており、引出電極部２７８，２７９が第一の側面２ｃ側に移動すると共に互いの位置を交換している。静電容量部２８０ｃでは、引出電極部２８３が第二の側面２ｄ側に移動すると共に第一の端面２ｅ側に移動しており、引出電極部２８８が第一の側面２ｃ側に移動すると共に第一の端面２ｅ側に移動している。
【０１５８】
このように、上述した各変形例にかかる積層コンデンサ２５１においても、端子電極３，４，５３，５４から静電容量部２８０ａ〜２８０ｃへの電流経路が長くなっており、等価直列抵抗を増加できる。
【０１５９】
（第七実施形態）
次に、図３４及び図３５を参照して、第七実施形態にかかる積層コンデンサ３０１の構成について説明する。積層コンデンサ３０１は、第六実施形態の積層コンデンサ２５１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部３１０，３２０と静電容量部３３０とを備えている。本実施形態では、図３４に示されるように、第三及び第四の外部接続導体７，８の配置箇所が第六実施形態と異なっている。以下、第六実施形態と異なる点を中心に説明する。
【０１６０】
まず、端子電極や外部接続導体の配置について説明する。本実施形態では、図３４に示されるように、第一の端子電極３、第一の外部接続導体５、第四の外部接続導体８及び第四の端子電極５４は、第一の端面２ｅから第二の端面２ｆに向かって、この順に第一の側面２ｃに配置される。一方、第二の端子電極４、第二の外部接続導体６、第三の外部接続導体７及び第三の端子電極５３は、第一の端面２ｅから第二の端面２ｆに向かって、この順に第二の側面２ｄに配置される。なお、第七実施形態では、第六実施形態と同様、異極性同士の端子電極が同じ側面に配置される。
【０１６１】
続いて、積層体を構成する各部及び各部に含まれる内部電極について説明する。第一のＥＳＲ制御部３１０は、積層コンデンサ３０１のＥＳＲの増加等の制御を行う部分であり、図３５（ａ）に示されるように、それぞれが別の誘電体層２ｇ上に形成される内部電極３１１，３１６から構成される。内部電極３１１，３１６は、誘電体層２ｇを介して積層方向に互いに対向するように積層され、一対の内部電極層を構成するようになっている。
【０１６２】
内部電極３１１（第一の内部接続導体）は、第一及び第三の端子電極３，５３と第一の外部接続導体５とを接続するための内部接続導体である。内部電極３１１は、主電極部３１２と引出電極部３１３ａ，３１３ｂ，３１４とを含む。主電極部３１２は、矩形形状の電極部である。引出電極部３１３ａは、Ｘ方向における第一の端面２ｅ側において主電極部３１２と連接し、内部電極３１１を第一の側面２ｃの第一の端子電極３の形成領域に引き出す電極部である。
【０１６３】
引出電極部３１３ｂは、Ｘ方向における第二の端面２ｆ側において主電極部３１２と連接し、内部電極３１１を第二の側面２ｄの第三の端子電極５３の形成領域に引き出す電極部である。引出電極部３１４は、Ｘ方向における略中央から第一の端面２ｅ寄りの箇所において主電極部３１２と連接し、内部電極３１１を第一の側面２ｃの第一の外部接続導体５の形成領域に引き出す電極部である。なお、プラス電極Ｓ１から第一及び第三の端子電極３，５３へと流れ込んだ電流は、内部電極３１１を介して第一の外部接続導体５へと伝えられる。
【０１６４】
内部電極３１６（第二の内部接続導体）は、第二及び第四の端子電極４，５４と第二の外部接続導体６とを接続するための内部接続導体である。内部電極３１６は、主電極部３１７と引出電極部３１８ａ，３１８ｂ，３１９とを含む。主電極部３１７は、矩形形状の電極部である。引出電極部３１８ａは、Ｘ方向における第一の端面２ｅ側において主電極部３１７と連接し、内部電極３１６を第二の側面２ｄの第二の端子電極４の形成領域に引き出す電極部である。
【０１６５】
引出電極部３１８ｂは、Ｘ方向における第二の端面２ｆ側において主電極部３１７と連接し、内部電極３１６を第一の側面２ｃの第四の端子電極５４の形成領域に引き出す電極部である。引出電極部３１９は、Ｘ方向における略中央から第一の端面２ｅ寄りの箇所において主電極部３１７と連接し、内部電極３１６を第二の側面２ｄの第二の外部接続導体６の形成領域に引き出す電極部である。なお、第二の外部接続導体６へと流れ込んだ電流が内部電極３１６を介して第二及び第四の端子電極４，５４やマイナス電極Ｓ２へと伝えられる。
【０１６６】
第二のＥＳＲ制御部３２０は、積層コンデンサ３０１のＥＳＲの増加等の制御を行う部分であり、図３５（ｂ）に示されるように、それぞれが別の誘電体層２ｇ上に形成される内部電極３２１，３２６から構成される。内部電極３２１，３２６は、誘電体層２ｇを介して積層方向に互いに対向するように積層され、一対の内部電極層を構成するようになっている。
【０１６７】
内部電極３２１（第三の内部接続導体）は、第一の外部接続導体５と第三の外部接続導体７とを接続するための内部接続導体である。内部電極３２１は、主電極部３２２と引出電極部３２３，３２４とを含む。主電極部３２２は、矩形形状の電極部である。引出電極部３２３は、Ｘ方向における略中央から第一の端面２ｅ寄りの箇所において主電極部３２２と連接し、内部電極３２１を第一の側面２ｃの第一の外部接続導体５の形成領域に引き出す電極部である。引出電極部３２４は、Ｘ方向における略中央から第二の端面２ｆ寄りの箇所において主電極部３２２と連接し、内部電極３２１を第二の側面２ｄの第三の外部接続導体７の形成領域に引き出す電極部である。なお、内部電極３１１を介して第一の外部接続導体５へと流れ込んだ電流が内部電極３２１を介して、第三の外部接続導体７へと伝えられる。
【０１６８】
内部電極３２６（第四の内部接続導体）は、第二の外部接続導体６と第四の外部接続導体８とを接続するための内部接続導体である。内部電極３２６は、主電極部３２７と引出電極部３２８，３２９とを含む。主電極部３２７は、矩形形状の電極部である。引出電極部３２８は、Ｘ方向における略中央から第一の端面２ｅ寄りの箇所において主電極部３２７と連接し、内部電極３２６を第二の側面２ｄの第二の外部接続導体６の形成領域に引き出す電極部である。引出電極部３２９は、Ｘ方向における略中央から第二の端面２ｆ寄りの箇所において主電極部３２７と連接し、内部電極３２６を第一の側面２ｃの第四の外部接続導体８の形成領域に引き出す電極部である。なお、第四の外部接続導体８へと流れ込んだ電流は、内部電極３２６を介して、第二の外部接続導体６へと伝えられる。
【０１６９】
静電容量部３３０は、積層コンデンサ３０１において、静電容量を発生させる部分であり、図３５（ｃ）に示されるように、それぞれが別の誘電体層２ｇ上に形成される内部電極３３１，３３６から構成される。内部電極３３１，３３６は、誘電体層２ｇを介して積層方向に互いに対向するように積層され、一対の内部電極層を構成するようになっている。
【０１７０】
内部電極３３１（第一の内部電極）は、主電極部３３２と引出電極部３３３とを含み、第三の外部接続導体７に接続される。主電極部３３２は、矩形形状の電極部である。引出電極部３３３は、Ｘ方向における略中央から第二の端面２ｆ寄りの箇所において主電極部３３２と連接し、内部電極３３１を第二の側面２ｄの第三の外部接続導体７の形成領域に引き出す電極部である。内部電極３３６（第二の内部電極）は、主電極部３３７と引出電極部３３８とを含み、第四の外部接続導体８に接続される。主電極部３３７は、矩形形状の電極部である。引出電極部３３８は、Ｘ方向における略中央から第二の端面２ｆ寄りの箇所において主電極部３３７と連接し、内部電極３３６を第一の側面２ｃの第四の外部接続導体８の形成領域に引き出す電極部である。
【０１７１】
以上のように、本実施形態に係る積層コンデンサ３０１でも、上述した各実施形態と同様、第一のＥＳＲ制御部３１０に加えて第二のＥＳＲ制御部３２０を備えているため、端子電極３，４，５３，５４から静電容量部３３０への電流経路を十分に長くして、等価直列抵抗を増加させることができる。また、本実施形態に係る積層コンデンサ３０１でも、第一及び第二のＥＳＲ制御部３１０，３２０が、複数の誘電体層２ｇの積層方向において、静電容量部３３０を間に挟むように互いに離れて配置されるため、第一及び第二のＥＳＲ制御部３１０，３２０を結ぶ外部接続導体５，６の長さといった積層コンデンサ３０１の厚み分を利用して端子電極３，４，５３，５４から静電容量部３３０への電流経路を長くし、等価直列抵抗を増加させることができる。
【０１７２】
また、本実施形態にかかる積層コンデンサ３０１では、第一の端子電極３と同極性に接続されるための第三の端子電極５３と、第二の端子電極４と同極性に接続されるための第四の端子電極５４とを更に備え、第一及び第四の端子電極３，５４が素体２の同一側面に形成され、且つ、第二及び第三の端子電極４，５３が素体２の同一側面に形成されている。そして、第一及び第四の外部接続導体５，８が素体２の同一側面に形成され、且つ、第二及び第三の外部接続導体６，７が素体２の同一側面に形成されている。このため、電流が逆向きになる箇所が多くなり、ＥＳＬを減少させることができる。
【０１７３】
ここで、第七実施形態にかかる積層コンデンサ３０１の変形例について図３６を参照して説明する。変形例にかかる積層コンデンサ３０１は、第一及び第二のＥＳＲ制御部３１０，３２０や静電容量部３３０に代えて、素体２の内部に、図３６に示されるように、第一及び第二のＥＳＲ制御部３１０ａ，３２０ａと静電容量部３３０ａとを備えている。変形例にかかる積層コンデンサ３０１の第一の側面２ｃには、第一の端面２ｅから第二の端面２ｆに向かって、第一の端子電極３、第三の外部接続導体７、第二の外部接続導体６及び第四の端子電極５４の順で各電極や導体が配置される。一方、第二の側面２ｄには、第一の端面２ｅから第二の端面２ｆに向かって、第二の端子電極４、第四の外部接続導体８、第一の外部接続導体５及び第三の端子電極５３の順で各電極や導体が配置される。つまり、変形例では、第一及び第三の外部接続導体５，７の位置がそれぞれ交換されており、また、第二及び第四の外部接続導体６，８の位置がそれぞれ交換されている。
【０１７４】
この変形例にかかる積層コンデンサ３０１では、各外部接続導体の位置が交換されているため、第一のＥＳＲ制御部３１０ａにおいて、引出電極部３１４が第二の側面２ｄ側に移動すると共に第二の端面２ｆ側に移動しており、引出電極部３１９が第一の側面２ｃ側に移動すると共に第二の端面２ｆ側に移動している。第二のＥＳＲ制御部３２０ａでは、引出電極部３２３，３２４の位置が交換されており、また、引出電極部３２８，３２９の位置が交換されている。静電容量部３３０ａでは、引出電極部３３３が第一の側面２ｃ側に移動すると共に第一の端面２ｅ側に移動しており、引出電極部３３８が第二の側面２ｄ側に移動すると共に第一の端面２ｅ側に移動している。この変形例にかかる積層コンデンサ３０１においても、端子電極３，４，５３，５４から静電容量部３３０ａへの電流経路が長くなっており、等価直列抵抗を増加できる。なお、第七実施形態では、変形例も含め、第一の端子電極３が、第一及び第三の外部接続導体５，７のいずれか一方と隣接し、且つ、第三の端子電極５３が、第一及び第三の外部接続導体５，７のいずれか他方と隣接し、第二の端子電極４が、第二及び第四の外部接続導体６，８のいずれか一方と隣接し、且つ、第四の端子電極５４が、第二及び第四の外部接続導体６，８のいずれか他方と隣接している。
【０１７５】
（第八実施形態）
次に、図３７及び図３８を参照して、第八実施形態にかかる積層コンデンサ３５１の構成について説明する。積層コンデンサ３５１は、第七実施形態の積層コンデンサ３０１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部３６０，３７０と静電容量部３８０とを備えている。本実施形態では、図３７に示されるように、第二及び第三の外部接続導体６，７の配置箇所が第七実施形態と異なっている。以下、第七実施形態と異なる点を中心に説明する。
【０１７６】
まず、端子電極や外部接続導体の配置について説明する。本実施形態では、図３７に示されるように、第一の端子電極３、第一の外部接続導体５、第四の外部接続導体８及び第四の端子電極５４は、第一の端面２ｅから第二の端面２ｆに向かって、この順に第一の側面２ｃに配置される。一方、第二の端子電極４、第三の外部接続導体７、第二の外部接続導体６及び第三の端子電極５３は、第一の端面２ｅから第二の端面２ｆに向かって、この順に第二の側面２ｄに配置される。このような配置により、第一及び第三の外部接続導体５，７は、素体２の外表面のうち互いに対向する第一及び第二の側面２ｃ，２ｄにそれぞれが対向するように形成され、第二及び第四の外部接続導体６，８は、第一及び第二の側面２ｃ，２ｄにそれぞれが対向するように形成される。
【０１７７】
続いて、積層体を構成する各部及び各部に含まれる内部電極について説明する。第一のＥＳＲ制御部３６０は、積層コンデンサ３５１のＥＳＲの増加等の制御を行う部分であり、図３８（ａ）に示されるように、それぞれが別の誘電体層２ｇ上に形成される内部電極３６１，３６６から構成される。内部電極３６１，３６６は、誘電体層２ｇを介して積層方向に互いに対向するように積層され、一対の内部電極層を構成するようになっている。
【０１７８】
内部電極３６１（第一の内部接続導体）は、第一及び第三の端子電極３，５３と第一の外部接続導体５とを接続するための内部接続導体である。内部電極３６１は、主電極部３６２と引出電極部３６３ａ，３６３ｂ，３６４とを含む。主電極部３６２は、矩形形状の電極部である。引出電極部３６３ａは、Ｘ方向における第一の端面２ｅ側において主電極部３６２と連接し、内部電極３６１を第一の端子電極３の形成領域に引き出す電極部である。
【０１７９】
引出電極部３６３ｂは、Ｘ方向における第二の端面２ｆ側において主電極部３６２と連接し、内部電極３６１を第三の端子電極５３の形成領域に引き出す電極部である。引出電極部３６４は、Ｘ方向における略中央から第一の端面２ｅ寄りの箇所において主電極部３６２と連接し、内部電極３６１を第一の外部接続導体５の形成領域に引き出す電極部である。
【０１８０】
内部電極３６６（第二の内部接続導体）は、第二及び第四の端子電極４，５４と第二の外部接続導体６とを接続するための内部接続導体である。内部電極３６６は、主電極部３６７と引出電極部３６８ａ，３６８ｂ，３６９とを含む。主電極部３６７は、矩形形状の電極部である。引出電極部３６８ａは、Ｘ方向における第一の端面２ｅ側において主電極部３６７と連接し、内部電極３６６を第二の端子電極４の形成領域に引き出す電極部である。
【０１８１】
引出電極部３６８ｂは、Ｘ方向における第二の端面２ｆ側において主電極部３６７と連接し、内部電極３６６を第四の端子電極５４の形成領域に引き出す電極部である。引出電極部３６９は、Ｘ方向における略中央から第二の端面２ｆ寄りの箇所において主電極部３６７と連接し、内部電極３６６を第二の外部接続導体６の形成領域に引き出す電極部である。
【０１８２】
第二のＥＳＲ制御部３７０は、積層コンデンサ３５１のＥＳＲの増加等の制御を行う部分であり、図３８（ｂ）に示されるように、それぞれが別の誘電体層２ｇ上に形成される内部電極３７１，３７６から構成される。内部電極３７１，３７６は、誘電体層２ｇを介して積層方向に互いに対向するように積層され、一対の内部電極層を構成するようになっている。
【０１８３】
内部電極３７１（第三の内部接続導体）は、第一の外部接続導体５と第三の外部接続導体７とを接続するための内部接続導体である。内部電極３７１は、主電極部３７２と引出電極部３７３，３７４とを含む。主電極部３７２は、矩形形状の電極部である。引出電極部３７３は、Ｘ方向における略中央から第一の端面２ｅ寄りの箇所において主電極部３７２と連接し、内部電極３７１を第一の外部接続導体５の形成領域に引き出す電極部である。引出電極部３７４は、Ｘ方向における略中央から第一の端面２ｅ寄りの箇所において主電極部３７２と連接し、内部電極３７１を第三の外部接続導体７の形成領域に引き出す電極部である。
【０１８４】
内部電極３７６（第四の内部接続導体）は、第二の外部接続導体６と第四の外部接続導体８とを接続するための内部接続導体である。内部電極３７６は、主電極部３７７と引出電極部３７８，３７９とを含む。主電極部３７７は、矩形形状の電極部である。引出電極部３７８は、Ｘ方向における略中央から第二の端面２ｆ寄りの箇所において主電極部３７７と連接し、内部電極３７６を第二の外部接続導体６の形成領域に引き出す電極部である。引出電極部３７９は、Ｘ方向における略中央から第二の端面２ｆ寄りの箇所において主電極部３７７と連接し、内部電極３７６を第四の外部接続導体８の形成領域に引き出す電極部である。
【０１８５】
静電容量部３８０は、積層コンデンサ３５１において、静電容量を発生させる部分であり、図３８（ｃ）に示されるように、それぞれが別の誘電体層２ｇ上に形成される内部電極３８１，３８６から構成される。内部電極３８１，３８６は、誘電体層２ｇを介して積層方向に互いに対向するように積層され、一対の内部電極層を構成するようになっている。
【０１８６】
内部電極３８１（第一の内部電極）は、主電極部３８２と引出電極部３８３とを含み、第三の外部接続導体７に接続される。主電極部３８２は、矩形形状の電極部である。引出電極部３８３は、Ｘ方向における略中央から第一の端面２ｅ寄りの箇所において主電極部３８２と連接し、内部電極３８１を第三の外部接続導体７の形成領域に引き出す電極部である。内部電極３８６（第二の内部電極）は、主電極部３８７と引出電極部３８８とを含み、第四の外部接続導体８に接続される。主電極部３８７は、矩形形状の電極部である。引出電極部３８８は、Ｘ方向における略中央から第二の端面２ｆ寄りの箇所において主電極部３８７と連接し、内部電極３８６を第四の外部接続導体８の形成領域に引き出す電極部である。
【０１８７】
以上のように、本実施形態に係る積層コンデンサ３５１でも、上述した各実施形態と同様、第一のＥＳＲ制御部３６０に加えて第二のＥＳＲ制御部３７０を備えているため、端子電極３，４，５３，５４から静電容量部３８０への電流経路を十分に長くして、等価直列抵抗を増加させることができる。また、本実施形態に係る積層コンデンサ３５１でも、第一及び第二のＥＳＲ制御部３６０，３７０が、複数の誘電体層２ｇの積層方向において、静電容量部３８０を間に挟むように互いに離れて配置されるため、第一及び第二のＥＳＲ制御部３６０，３７０を結ぶ外部接続導体５，６の長さといった積層コンデンサ３５１の厚み分を利用して端子電極３，４，５３，５４から静電容量部３８０への電流経路を長くし、等価直列抵抗を増加させることができる。
【０１８８】
また、本実施形態にかかる積層コンデンサ３５１では、第一及び第四の外部接続導体５，８が素体２の同一側面に形成され、且つ、第二及び第三の外部接続導体６，７が素体２の同一側面に形成されている。このため、電流が逆向きになる箇所が多くなり、ＥＳＬを減少させることができる。
【０１８９】
ここで、第八実施形態にかかる積層コンデンサ３５１の変形例について図３９〜４１を参照して簡単に説明する。第一変形例にかかる積層コンデンサ３５１は、図３９に示されるように、第一及び第二のＥＳＲ制御部３６０ａ，３７０ａと静電容量部３８０ａとを備えている。第一変形例では、第一の端面２ｅから第二の端面２ｆに向かって、第一の側面２ｃに、第一の端子電極３、第三の外部接続導体７、第二の外部接続導体６及び第四の端子電極５４の順で電極等が配置され、第二の側面２ｄには、第二の端子電極４、第一の外部接続導体５、第四の外部接続導体８及び第三の端子電極５３の順で電極等が配置される。そして、第一変形例では、このような電極等の配置に応じて、各内部電極の引出電極部３６４，３６９，３７３，３７４，３７８，３７９，３８３，３８８の位置が図３９に示されるように変更されている。
【０１９０】
また、第二変形例にかかる積層コンデンサ３５１は、図４０に示されるように、第一及び第二のＥＳＲ制御部３６０ｂ，３７０ｂと静電容量部３８０ｂとを備えている。第二変形例では、第一の端面２ｅから第二の端面２ｆに向かって、第一の側面２ｃに、第一の端子電極３、第二の外部接続導体６、第三の外部接続導体７及び第四の端子電極５４の順で電極等が配置され、第二の側面２ｄには、第二の端子電極４、第四の外部接続導体８、第一の外部接続導体５及び第三の端子電極５３の順で電極等が配置される。そして、第二変形例では、このような電極等の配置に応じて、各内部電極の引出電極部３６４，３６９，３７３，３７４，３７８，３７９，３８３，３８８の位置が図４０に示されるように変更されている。
【０１９１】
また、第三変形例にかかる積層コンデンサ３５１は、図４１に示されるように、第一及び第二のＥＳＲ制御部３６０ｃ，３７０ｃと静電容量部３８０ｃとを備えている。第三変形例では、第一の端面２ｅから第二の端面２ｆに向かって、第一の側面２ｃに、第一の端子電極３、第四の外部接続導体８、第一の外部接続導体５及び第四の端子電極５４の順で電極等が配置され、第二の側面２ｄには、第二の端子電極４、第二の外部接続導体６、第三の外部接続導体７及び第三の端子電極５３の順で電極等が配置される。そして、第三変形例では、このような電極等の配置に応じて、各内部電極の引出電極部３６４，３６９，３７３，３７４，３７８，３７９，３８３，３８８の位置が図４１に示されるように変更されている。なお、これら変形例でも同様の作用効果を奏することができる。
【０１９２】
（第九実施形態）
次に、図４２及び図４３を参照して、第九実施形態にかかる積層コンデンサ４０１の構成について説明する。積層コンデンサ４０１は、第八実施形態の積層コンデンサ３５１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部４１０，４２０と静電容量部４３０とを備えている。本実施形態では、図４２に示されるように、第一及び第四の外部接続導体５，８の配置箇所が第八実施形態と異なっている。以下、第八実施形態と異なる点を中心に説明する。
【０１９３】
まず、端子電極や外部接続導体の配置について説明する。本実施形態では、図４２に示されるように、第一の端子電極３、第四の外部接続導体８、第一の外部接続導体５及び第四の端子電極５４は、第一の端面２ｅから第二の端面２ｆに向かって、この順に第一の側面２ｃに配置される。一方、第二の端子電極４、第三の外部接続導体７、第二の外部接続導体６及び第三の端子電極５３は、第一の端面２ｅから第二の端面２ｆに向かって、この順に第二の側面２ｄに配置される。
【０１９４】
続いて、積層体を構成する各部及び各部に含まれる内部電極について説明する。第一のＥＳＲ制御部４１０は、積層コンデンサ４０１のＥＳＲの増加等の制御を行う部分であり、図４３（ａ）に示されるように、それぞれが別の誘電体層２ｇ上に形成される内部電極４１１，４１６から構成される。内部電極４１１，４１６は、誘電体層２ｇを介して積層方向に互いに対向するように積層され、一対の内部電極層を構成するようになっている。
【０１９５】
内部電極４１１（第一の内部接続導体）は、第一及び第三の端子電極３，５３と第一の外部接続導体５とを接続するための内部接続導体である。内部電極４１１は、主電極部４１２と引出電極部４１３ａ，４１３ｂ，４１４とを含む。主電極部４１２は、矩形形状の電極部である。引出電極部４１３ａは、Ｘ方向における第一の端面２ｅ側において主電極部４１２と連接し、内部電極４１１を第一の端子電極３の形成領域に引き出す電極部である。
【０１９６】
引出電極部４１３ｂは、Ｘ方向における第二の端面２ｆ側において主電極部４１２と連接し、内部電極４１１を第三の端子電極５３の形成領域に引き出す電極部である。引出電極部４１４は、Ｘ方向における略中央から第二の端面２ｆ寄りの箇所において主電極部４１２と連接し、内部電極４１１を第一の外部接続導体５の形成領域に引き出す電極部である。
【０１９７】
内部電極４１６（第二の内部接続導体）は、第二及び第四の端子電極４，５４と第二の外部接続導体６とを接続するための内部接続導体である。内部電極４１６は、主電極部４１７と引出電極部４１８ａ，４１８ｂ，４１９とを含む。主電極部４１７は、矩形形状の電極部である。引出電極部４１８ａは、Ｘ方向における第一の端面２ｅ側において主電極部４１７と連接し、内部電極４１６を第二の端子電極４の形成領域に引き出す電極部である。
【０１９８】
引出電極部４１８ｂは、Ｘ方向における第二の端面２ｆ側において主電極部４１７と連接し、内部電極４１６を第四の端子電極５４の形成領域に引き出す電極部である。引出電極部４１９は、Ｘ方向における略中央から第二の端面２ｆ寄りの箇所において主電極部４１７と連接し、内部電極４１６を第二の外部接続導体６の形成領域に引き出す電極部である。
【０１９９】
第二のＥＳＲ制御部４２０は、積層コンデンサ４０１のＥＳＲの増加等の制御を行う部分であり、図４３（ｂ）に示されるように、それぞれが別の誘電体層２ｇ上に形成される内部電極４２１，４２６から構成される。内部電極４２１，４２６は、誘電体層２ｇを介して積層方向に互いに対向するように積層され、一対の内部電極層を構成するようになっている。
【０２００】
内部電極４２１（第三の内部接続導体）は、第一の外部接続導体５と第三の外部接続導体７とを接続するための内部接続導体である。内部電極４２１は、主電極部４２２と引出電極部４２３，４２４とを含む。主電極部４２２は、矩形形状の電極部である。引出電極部４２３は、Ｘ方向における略中央から第二の端面２ｆ寄りの箇所において主電極部４２２と連接し、内部電極４２１を第一の外部接続導体５の形成領域に引き出す電極部である。引出電極部４２４は、Ｘ方向における略中央から第一の端面２ｅ寄りの箇所において主電極部４２２と連接し、内部電極４２１を第三の外部接続導体７の形成領域に引き出す電極部である。
【０２０１】
内部電極４２６（第四の内部接続導体）は、第二の外部接続導体６と第四の外部接続導体８とを接続するための内部接続導体である。内部電極４２６は、主電極部４２７と引出電極部４２８，４２９とを含む。主電極部４２７は、矩形形状の電極部である。引出電極部４２８は、Ｘ方向における略中央から第二の端面２ｆ寄りの箇所において主電極部４２７と連接し、内部電極４２６を第二の外部接続導体６の形成領域に引き出す電極部である。引出電極部４２９は、Ｘ方向における略中央から第一の端面２ｅ寄りの箇所において主電極部４２７と連接し、内部電極４２６を第四の外部接続導体８の形成領域に引き出す電極部である。
【０２０２】
静電容量部４３０は、積層コンデンサ４０１において、静電容量を発生させる部分であり、図４３（ｃ）に示されるように、それぞれが別の誘電体層２ｇ上に形成される内部電極４３１，４３６から構成される。内部電極４３１，４３６は、誘電体層２ｇを介して積層方向に互いに対向するように積層され、一対の内部電極層を構成するようになっている。
【０２０３】
内部電極４３１（第一の内部電極）は、主電極部４３２と引出電極部４３３とを含み、第三の外部接続導体７に接続される。主電極部４３２は、矩形形状の電極部である。引出電極部４３３は、Ｘ方向における略中央から第一の端面２ｅ寄りの箇所において主電極部４３２と連接し、内部電極４３１を第三の外部接続導体７の形成領域に引き出す電極部である。内部電極４３６（第二の内部電極）は、主電極部４３７と引出電極部４３８とを含み、第四の外部接続導体８に接続される。主電極部４３７は、矩形形状の電極部である。引出電極部４３８は、Ｘ方向における略中央から第一の端面２ｅ寄りの箇所において主電極部４３７と連接し、内部電極４３６を第四の外部接続導体８の形成領域に引き出す電極部である。
【０２０４】
以上のように、本実施形態に係る積層コンデンサ４０１でも、上述した各実施形態と同様、第一のＥＳＲ制御部４１０に加えて第二のＥＳＲ制御部４２０を備えているため、端子電極３，４，５３，５４から静電容量部４３０への電流経路を十分に長くして、等価直列抵抗を増加させることができる。また、本実施形態に係る積層コンデンサ４０１でも、第一及び第二のＥＳＲ制御部４１０，４２０が、複数の誘電体層２ｇの積層方向において、静電容量部４３０を間に挟むように互いに離れて配置されるため、第一及び第二のＥＳＲ制御部４１０，４２０を結ぶ外部接続導体５，６の長さといった積層コンデンサ４０１の厚み分を利用して端子電極３，４，５３，５４から静電容量部４３０への電流経路を長くし、等価直列抵抗を増加させることができる。
【０２０５】
ここで、第九実施形態にかかる積層コンデンサ４０１の変形例について図４４を参照して説明する。変形例にかかる積層コンデンサ４０１は、第一及び第二のＥＳＲ制御部４１０，４２０や静電容量部４３０に代えて、素体２の内部に、図４４に示されるように、第一及び第二のＥＳＲ制御部４１０ａ，４２０ａと静電容量部４３０ａとを備えている。変形例にかかる積層コンデンサ４０１の第一の側面２ｃには、第一の端面２ｅから第二の端面２ｆに向かって、第一の端子電極３、第二の外部接続導体６、第三の外部接続導体７及び第四の端子電極５４の順で各電極や導体が配置される。一方、第二の側面２ｄには、第一の端面２ｅから第二の端面２ｆに向かって、第二の端子電極４、第一の外部接続導体５、第四の外部接続導体８及び第三の端子電極５３の順で各電極や導体が配置される。
【０２０６】
この変形例にかかる積層コンデンサ４０１では、第一のＥＳＲ制御部４１０ａにおいて、引出電極部４１４が第二の側面２ｄ側に移動すると共に第一の端面２ｅ側に移動しており、引出電極部４１９が第一の側面２ｃ側に移動すると共に第一の端面２ｅ側に移動している。第二のＥＳＲ制御部４２０ａでは、引出電極部４２３，４２４の位置が交換されており、また、引出電極部４２８，４２９の位置が交換されている。静電容量部４３０ａでは、引出電極部４３３が第一の側面２ｃ側に移動すると共に第二の端面２ｆ側に移動しており、引出電極部４３８が第二の側面２ｄ側に移動している。この変形例にかかる積層コンデンサ４０１においても、端子電極３，４，５３，５４から静電容量部４３０ａへの電流経路が長くなっており、等価直列抵抗を増加できる。なお、第九実施形態では、変形例も含め、第一の端子電極３が第二及び第四の外部接続導体６，８のいずれか一方と隣接し、第三の端子電極５３が第二及び第四の外部接続導体６，８のいずれか他方と隣接し、また、第二の端子電極４が第一及び第三の外部接続導体５，７のいずれか一方と隣接し、第四の端子電極５４が第一及び第三の外部接続導体５，７のいずれか他方と隣接している。
【０２０７】
（第十実施形態）
次に、図４５及び図４６を参照して、第十実施形態にかかる積層コンデンサ４５１の構成について説明する。積層コンデンサ４５１は、第九実施形態の積層コンデンサ４０１と同様、略直方体形状の素体２と、第一、第二、第三及び第四の端子電極３，４，５３，５４と、第一、第二、第三及び第四の外部接続導体５，６，７，８とを備え、素体２の内部に、第一及び第二のＥＳＲ制御部４６０，４７０と静電容量部４８０とを備えている。本実施形態では、図４５に示されるように、各外部接続導体５〜７の配置箇所が第九実施形態と異なっている。以下、第九実施形態と異なる点を中心に説明する。
【０２０８】
まず、端子電極や外部接続導体の配置について説明する。本実施形態では、図４５に示されるように、第一の端子電極３、第四の外部接続導体８、第三の外部接続導体７及び第四の端子電極５４は、第一の端面２ｅから第二の端面２ｆに向かって、この順に第一の側面２ｃに配置される。一方、第二の端子電極４、第二の外部接続導体６、第一の外部接続導体５及び第三の端子電極５３は、第一の端面２ｅから第二の端面２ｆに向かって、この順に第二の側面２ｄに配置される。
【０２０９】
続いて、積層体を構成する各部及び各部に含まれる内部電極について説明する。第一のＥＳＲ制御部４６０は、積層コンデンサ４５１のＥＳＲの増加等の制御を行う部分であり、図４６（ａ）に示されるように、それぞれが別の誘電体層２ｇ上に形成される内部電極４６１，４６６から構成される。内部電極４６１，４６６は、誘電体層２ｇを介して積層方向に互いに対向するように積層され、一対の内部電極層を構成するようになっている。
【０２１０】
内部電極４６１（第一の内部接続導体）は、第一及び第三の端子電極３，５３と第一の外部接続導体５とを接続するための内部接続導体である。内部電極４６１は、主電極部４６２と引出電極部４６３ａ，４６３ｂ，４６４とを含む。主電極部４６２は、矩形形状の電極部である。引出電極部４６３ａは、Ｘ方向における第一の端面２ｅ側において主電極部４６２と連接し、内部電極４６１を第一の端子電極３の形成領域に引き出す電極部である。
【０２１１】
引出電極部４６３ｂは、Ｘ方向における第二の端面２ｆ側において主電極部４６２と連接し、内部電極４６１を第三の端子電極５３の形成領域に引き出す電極部である。引出電極部４６４は、Ｘ方向における略中央から第二の端面２ｆ寄りの箇所において主電極部４６２と連接し、内部電極４６１を第一の外部接続導体５の形成領域に引き出す電極部である。
【０２１２】
内部電極４６６（第二の内部接続導体）は、第二及び第四の端子電極４，５４と第二の外部接続導体６とを接続するための内部接続導体である。内部電極４６６は、主電極部４６７と引出電極部４６８ａ，４６８ｂ，４６９とを含む。主電極部４６７は、矩形形状の電極部である。引出電極部４６８ａは、Ｘ方向における第一の端面２ｅ側において主電極部４６７と連接し、内部電極４６６を第二の端子電極４の形成領域に引き出す電極部である。
【０２１３】
引出電極部４６８ｂは、Ｘ方向における第二の端面２ｆ側において主電極部４６７と連接し、内部電極４６６を第四の端子電極５４の形成領域に引き出す電極部である。引出電極部４６９は、Ｘ方向における略中央から第一の端面２ｅ寄りの箇所において主電極部４６７と連接し、内部電極４６６を第二の外部接続導体６の形成領域に引き出す電極部である。
【０２１４】
第二のＥＳＲ制御部４７０は、積層コンデンサ４５１のＥＳＲの増加等の制御を行う部分であり、図４６（ｂ）に示されるように、それぞれが別の誘電体層２ｇ上に形成される内部電極４７１，４７６から構成される。内部電極４７１，４７６は、誘電体層２ｇを介して積層方向に互いに対向するように積層され、一対の内部電極層を構成するようになっている。
【０２１５】
内部電極４７１（第三の内部接続導体）は、第一の外部接続導体５と第三の外部接続導体７とを接続するための内部接続導体である。内部電極４７１は、主電極部４７２と引出電極部４７３，４７４とを含む。主電極部４７２は、矩形形状の電極部である。引出電極部４７３は、Ｘ方向における略中央から第二の端面２ｆ寄りの箇所において主電極部４７２と連接し、内部電極４７１を第一の外部接続導体５の形成領域に引き出す電極部である。引出電極部４７４は、Ｘ方向における略中央から第二の端面２ｆ寄りの箇所において主電極部４７２と連接し、内部電極４７１を第三の外部接続導体７の形成領域に引き出す電極部である。
【０２１６】
内部電極４７６（第四の内部接続導体）は、第二の外部接続導体６と第四の外部接続導体８とを接続するための内部接続導体である。内部電極４７６は、主電極部４７７と引出電極部４７８，４７９とを含む。主電極部４７７は、矩形形状の電極部である。引出電極部４７８は、Ｘ方向における略中央から第一の端面２ｅ寄りの箇所において主電極部４７７と連接し、内部電極４７６を第二の外部接続導体６の形成領域に引き出す電極部である。引出電極部４７９は、Ｘ方向における略中央から第一の端面２ｅ寄りの箇所において主電極部４７７と連接し、内部電極４７６を第四の外部接続導体８の形成領域に引き出す電極部である。
【０２１７】
静電容量部４８０は、積層コンデンサ４５１において、静電容量を発生させる部分であり、図４６（ｃ）に示されるように、それぞれが別の誘電体層２ｇ上に形成される内部電極４８１，４８６から構成される。内部電極４８１，４８６は、誘電体層２ｇを介して積層方向に互いに対向するように積層され、一対の内部電極層を構成するようになっている。
【０２１８】
内部電極４８１（第一の内部電極）は、主電極部４８２と引出電極部４８３とを含み、第三の外部接続導体７に接続される。主電極部４８２は、矩形形状の電極部である。引出電極部４８３は、Ｘ方向における略中央から第二の端面２ｆ寄りの箇所において主電極部４８２と連接し、内部電極４８１を第三の外部接続導体７の形成領域に引き出す電極部である。内部電極４８６（第二の内部電極）は、主電極部４８７と引出電極部４８８とを含み、第四の外部接続導体８に接続される。主電極部４８７は、矩形形状の電極部である。引出電極部４８８は、Ｘ方向における略中央から第一の端面２ｅ寄りの箇所において主電極部４８７と連接し、内部電極４８６を第四の外部接続導体８の形成領域に引き出す電極部である。
【０２１９】
以上のように、本実施形態に係る積層コンデンサ４５１でも、上述した各実施形態と同様、第一のＥＳＲ制御部４６０に加えて第二のＥＳＲ制御部４７０を備えているため、端子電極３，４，５３，５４から静電容量部４８０への電流経路を十分に長くして、等価直列抵抗を増加させることができる。また、本実施形態に係る積層コンデンサ４５１でも、第一及び第二のＥＳＲ制御部４６０，４７０が、複数の誘電体層２ｇの積層方向において、静電容量部４８０を間に挟むように互いに離れて配置されるため、第一及び第二のＥＳＲ制御部４６０，４７０を結ぶ外部接続導体５，６の長さといった積層コンデンサ４５１の厚み分を利用して端子電極３，４，５３，５４から静電容量部４８０への電流経路を長くし、等価直列抵抗を増加させることができる。
【０２２０】
また、本実施形態にかかる積層コンデンサ４５１では、第一及び第二の外部接続導体５，６が素体２の同一側面に形成され、且つ、第三及び第四の外部接続導体７，８が素体２の同一側面に形成されている。このため、第一及び第二のＥＳＲ制御部４６０，４７０や静電容量部４８０において、異極性の内部電極の間で電流が逆向きに流れる箇所が生じるため、ＥＳＬを減少させることができる。
【０２２１】
ここで、第十実施形態にかかる積層コンデンサ４５１の変形例について図４７〜４９を参照して簡単に説明する。第一変形例にかかる積層コンデンサ４５１は、図４７に示されるように、第一及び第二のＥＳＲ制御部４６０ａ，４７０ａと静電容量部４８０ａとを備えている。第一変形例では、第一の端面２ｅから第二の端面２ｆに向かって、第一の側面２ｃに、第一の端子電極３、第一の外部接続導体５、第二の外部接続導体６及び第四の端子電極５４の順で電極等が配置され、第二の側面２ｄには、第二の端子電極４、第三の外部接続導体７、第四の外部接続導体８及び第三の端子電極５３の順で電極等が配置される。そして、第一変形例では、このような電極等の配置に応じて、各内部電極の引出電極部４６４，４６９，４７３，４７４，４７８，４７９，４８３，４８８の位置が図４７に示されるように変更されている。
【０２２２】
また、第二変形例にかかる積層コンデンサ４５１は、図４８に示されるように、第一及び第二のＥＳＲ制御部４６０ｂ，４７０ｂと静電容量部４８０ｂとを備えている。第二変形例では、第一の端面２ｅから第二の端面２ｆに向かって、第一の側面２ｃに、第一の端子電極３、第二の外部接続導体６、第一の外部接続導体５及び第四の端子電極５４の順で電極等が配置され、第二の側面２ｄには、第二の端子電極４、第四の外部接続導体８、第三の外部接続導体７及び第三の端子電極５３の順で電極等が配置される。そして、第二変形例では、このような電極等の配置に応じて、各内部電極の引出電極部４６４，４６９，４７３，４７４，４７８，４７９，４８３，４８８の位置が図４８に示されるように変更されている。
【０２２３】
また、第三変形例にかかる積層コンデンサ４５１は、図４９に示されるように、第一及び第二のＥＳＲ制御部４６０ｃ，４７０ｃと静電容量部４８０ｃとを備えている。第三変形例では、第一の端面２ｅから第二の端面２ｆに向かって、第一の側面２ｃに、第一の端子電極３、第三の外部接続導体７、第四の外部接続導体８及び第四の端子電極５４の順で電極等が配置され、第二の側面２ｄには、第二の端子電極４、第一の外部接続導体５、第二の外部接続導体６及び第三の端子電極５３の順で電極等が配置される。そして、第三変形例では、このような電極等の配置に応じて、各内部電極の引出電極部４６４，４６９，４７３，４７４，４７８，４７９，４８３，４８８の位置が図４９に示されるように変更されている。なお、これら変形例でも同様の作用効果を奏することができる。
【０２２４】
以上、本発明の好適な実施形態について詳細に説明したが、本発明は上記実施形態に限定されるものではなく、種々の変形が可能である。例えば、上記各実施形態では、内部電極のパターンを多数示したが、内部電極のパターンはこれらに限定されるものではなく、他のパターンであってもよい。また、第一及び第二のＥＳＲ制御部や静電容量部の配置構成についても複数示したが、これらに限定されるものではなく、本発明の趣旨を逸脱しない範囲で他の配置を採用するようにしてももちろんよい。また、第一、第二のＥＳＲ制御部や静電容量部の積層数は上述した積層数（素体２全体として１０層）に限定されるわけではなく、例えば１００層又はそれ以上の積層数からなっていてもよい。
【符号の説明】
【０２２５】
１，５１，１０１，１５１，２０１，２５１，３０１，３５１，４０１，４５１…積層コンデンサ、２…素体、３…第一の端子電極、４…第二の端子電極、５…第一の外部接続導体、６…第二の外部接続導体、７…第三の外部接続導体、８…第四の外部接続導体、１０，６０，１１０，２１０，２６０，３１０，３６０，４１０，４６０…第一のＥＳＲ制御部、２０，７０，１２０，１７０，２２０，２７０，３２０，３７０，４２０，４７０…第二のＥＳＲ制御部、３０，８０，１３０，２３０，２８０，３３０，３８０，４３０，４８０…静電容量部、５３…第三の端子電極、５４…第四の端子電極。
【図１】
0005589429.tif 000002
【図２】
0005589429.tif 000003
【図３】
0005589429.tif 000004
【図４】
0005589429.tif 000005
【図５】
0005589429.tif 000006
【図６】
0005589429.tif 000007
【図７】
0005589429.tif 000008
【図８】
0005589429.tif 000009
【図９】
0005589429.tif 000010
【図１０】
0005589429.tif 000011
【図１１】
0005589429.tif 000012
【図１２】
0005589429.tif 000013
【図１３】
0005589429.tif 000014
【図１４】
0005589429.tif 000015
【図１５】
0005589429.tif 000016
【図１６】
0005589429.tif 000017
【図１７】
0005589429.tif 000018
【図１８】
0005589429.tif 000019
【図１９】
0005589429.tif 000020
【図２０】
0005589429.tif 000021
【図２１】
0005589429.tif 000022
【図２２】
0005589429.tif 000023
【図２３】
0005589429.tif 000024
【図２４】
0005589429.tif 000025
【図２５】
0005589429.tif 000026
【図２６】
0005589429.tif 000027
【図２７】
0005589429.tif 000028
【図２８】
0005589429.tif 000029
【図２９】
0005589429.tif 000030
【図３０】
0005589429.tif 000031
【図３１】
0005589429.tif 000032
【図３２】
0005589429.tif 000033
【図３３】
0005589429.tif 000034
【図３４】
0005589429.tif 000035
【図３５】
0005589429.tif 000036
【図３６】
0005589429.tif 000037
【図３７】
0005589429.tif 000038
【図３８】
0005589429.tif 000039
【図３９】
0005589429.tif 000040
【図４０】
0005589429.tif 000041
【図４１】
0005589429.tif 000042
【図４２】
0005589429.tif 000043
【図４３】
0005589429.tif 000044
【図４４】
0005589429.tif 000045
【図４５】
0005589429.tif 000046
【図４６】
0005589429.tif 000047
【図４７】
0005589429.tif 000048
【図４８】
0005589429.tif 000049
【図４９】
0005589429.tif 000050